(57)【要約】  【課題】  侵襲型血糖測定装置で測定した血糖値を用いて、非侵襲型血糖測定装置で測定した血糖値を校正する非侵襲生体情報測定装置において、ユーザ生体状態に応じたレーザの光量を選択し、低消費電力な非侵襲生体情報測定装置を提供する。  【解決手段】  侵襲型血糖測定装置で測定した血糖値を用いて、非侵襲型血糖測定装置で測定した血糖値を校正する非侵襲生体情報測定装置において、校正期間の非侵襲型血糖測定装置での測定を複数の光量で行い、 それぞれの光量で算出した複数の特徴量と、侵襲型血糖測定装置で測定した血糖値から複数の推定血糖値を算出し、校正期間終了時に、侵襲型血糖測定装置で測定した血糖値と複数の推定血糖値を比較し最も近い結果となった推定血糖値の光量で通常測定期間の測定を行う非侵襲生体情報測定装置を提供することができる。【選択図】  図２
2009039267.tif 000002
【特許請求の範囲】
【請求項１】
侵襲型血糖測定装置で測定した血糖値を用いて、非侵襲型血糖測定装置で測定した血糖値を校正する非侵襲生体情報測定装置において、
少なくとも一つの光源と、
前記光源の光量や点灯タイミングや後述する各手段の起動を制御する制御手段と、
生体情報を所定時間測定する生体情報センサと、
前記生体情報センサからの出力信号を増幅する増幅手段と、
前記増幅された信号をＡ／Ｄ変換するＡ／Ｄ変換手段と、
前記Ａ／Ｄ変換されたデジタルデータを記憶する記憶手段と、
前記記憶手段に記憶されているデジタルデータを解析して生体情報の特徴量を算出する特徴量検出手段と、
前記特徴量検出手段で算出した特徴量と、前記侵襲型血糖測定装置で測定した血糖値から、推定血糖値を求める血糖値推定手段と、を備え、 
校正期間において前記非侵襲型血糖測定装置での測定を複数の光量で行い、 それぞれの光量で算出した複数の前記特徴量と、前記侵襲型血糖測定装置で測定した血糖値から、複数の推定血糖値を算出し、校正期間終了時に、前記侵襲型血糖測定装置で測定した血糖値と前記複数の推定血糖値を比較し最も近い結果となった推定血糖値の光量で通常測定期間の測定を行う、ことを特徴とする非侵襲生体情報測定装置。
【請求項２】
請求項１に記載の非侵襲生体情報測定装置において、
前記血糖値推定手段は、前記侵襲型血糖測定装置で測定した血糖値と前記複数の推定血糖値を比較して誤差の平均を算出し、前記誤差の平均があらかじめ設定された閾値以下で、かつ、最も小さい光量を検出する光量選択手段を備えた、ことを特徴とする非侵襲生体情報測定装置。
【請求項３】
請求項２に記載の非侵襲生体情報測定装置において、
前記光量選択手段は、外部から書き込み可能なレジスタを備え、前記レジスタの値により、閾値を変更することができる、ことを特徴とする非侵襲生体情報測定装置。
【請求項４】
請求項１に記載の非侵襲生体情報測定装置において、
前記制御手段は、光量変更手段を備え、前記血糖値推定手段より出力された光量指示信号に応じて光量を制御する、ことを特徴とする非侵襲生体情報測定装置。
【請求項５】
請求項４に記載の非侵襲生体情報測定装置において、
前記光量変更手段が、外部から書き込み可能な少なくとも一つの第一のレジスタ群を備え、前記光量指示信号に応じた光量の値を変更することができる、ことを特徴とする非侵襲生体情報測定装置。
【請求項６】
請求項１に記載の非侵襲生体情報測定装置において、
前記制御手段は、光量定期確認手段を備え、通常測定期間において、前記光源に対し、前記点灯タイミングをあらかじめ設定された周期で、前記光量をあらかじめ設定された値に変更し出力する、ことを特徴とする非侵襲生体情報測定装置。
【請求項７】
請求項６に記載の非侵襲生体情報測定装置において、
前記光量定期確認手段は、外部から書き込み可能なレジスタを備え、前記レジスタの値により、前記光量を変更する周期を変更することができる、ことを特徴とする非侵襲生体情報測定装置。
【請求項８】
請求項６に記載の非侵襲生体情報測定装置において、
前記光量定期確認手段は、外部から書き込み可能なレジスタを備え、前記レジスタの値により、前記光量の値を変更することができる、ことを特徴とする非侵襲生体情報測定装置。
【請求項９】
請求項６に記載の非侵襲生体情報測定装置において、
前記血糖値推定手段は、光量適正確認手段を備え、前記光量定期確認手段で変更された光量で測定した推定血糖値と、前記光量定期確認手段で変更される前に設定されていた光量で測定した推定血糖値を比較して誤差を算出し、前記誤差があらかじめ設定された閾値以下であるか判定し、前記誤差があらかじめ設定された閾値以下である場合には、前記制御手段に対し、前記光量定期確認手段で変更される前に設定されていた光量に戻すよう光量復元信号を出力する、ことを特徴とする非侵襲生体情報測定装置。
【請求項１０】
請求項９に記載の非侵襲生体情報測定装置において、
前記光量適正確認手段は、外部から書き込み可能なレジスタを備え、前記レジスタの値により、前記閾値を変更することができる、ことを特徴とする非侵襲生体情報測定装置。
【請求項１１】
侵襲型血糖測定装置で測定した血糖値を用いて、非侵襲型血糖測定装置で測定した血糖値を校正する非侵襲生体情報測定装置において、
少なくとも一つの光源と、
前記光源の光量や点灯タイミングや後述する各手段の起動を制御する制御手段と、
生体情報を所定時間測定する生体情報センサと、
前記生体情報センサからの出力信号を増幅する増幅手段と、
前記増幅された信号をＡ／Ｄ変換するＡ／Ｄ変換手段と、
前記Ａ／Ｄ変換されたデジタルデータを記憶する記憶手段と、
前記光源を点灯させ、デジタルデータを前記記憶手段に記憶するまでの一連の動作を所定回数繰り返し、前記記憶手段に記憶されている所定回数分のデジタルデータを平均化し、
前記平均化したデータを解析して生体情報の特徴量を算出する特徴量検出手段と、
前記特徴量検出手段で算出した特徴量と、前記侵襲型血糖測定装置で測定した血糖値から、推定血糖値を求める血糖値推定手段と、を備え、 
校正期間において前記非侵襲型血糖測定装置での前記一連の動作を複数の繰り返し回数で行い、それぞれの繰り返し回数で算出した複数の前記特徴量と、前記侵襲型血糖測定装置で測定した血糖値から、複数の推定血糖値を算出し、校正期間終了時に、前記侵襲型血糖測定装置で測定した血糖値と前記複数の推定血糖値を比較し最も近い結果となった推定血糖値の繰り返し回数で通常測定期間の測定を行う、ことを特徴とする非侵襲生体情報測定装置。
【請求項１２】
請求項１１に記載の非侵襲生体情報測定装置において、
前記血糖値推定手段は、前記侵襲型血糖測定装置で測定した血糖値と前記複数の推定血糖値を比較して誤差の平均を算出し、前記誤差の平均があらかじめ設定された閾値以下で、かつ、最も小さい繰り返し回数を検出する繰り返し回数選択手段を備えた、ことを特徴とする非侵襲生体情報測定装置。
【請求項１３】
請求項１２に記載の非侵襲生体情報測定装置において、
前記繰り返し回数選択手段は、外部から書き込み可能なレジスタを備え、前記レジスタの値により、閾値を変更することができる、ことを特徴とする非侵襲生体情報測定装置。
【請求項１４】
請求項１１に記載の非侵襲生体情報測定装置において、
前記制御手段は、繰り返し回数変更手段を備え、前記血糖値推定手段より出力された繰り返し回数指示信号に応じて繰り返し回数を制御する、ことを特徴とする非侵襲生体情報測定装置。
【請求項１５】
請求項１４に記載の非侵襲生体情報測定装置において、
前記繰り返し回数変更手段が、外部から書き込み可能な少なくとも一つの第一のレジスタ群を備え、前記繰り返し回数指示信号に応じた繰り返し回数の値を変更することができる、ことを特徴とする非侵襲生体情報測定装置。
【請求項１６】
請求項１１に記載の非侵襲生体情報測定装置において、
前記制御手段は、繰り返し回数定期確認手段を備え、通常測定期間において、前記光源に対し、前記点灯タイミングをあらかじめ設定された周期で、あらかじめ設定された値の繰り返し回数に変更し出力する、ことを特徴とする非侵襲生体情報測定装置。
【請求項１７】
請求項１６に記載の非侵襲生体情報測定装置において、
前記繰り返し回数定期確認手段は、外部から書き込み可能なレジスタを備え、前記レジスタの値により、前記繰り返し回数を変更する周期を変更することができる、ことを特徴とする非侵襲生体情報測定装置。
【請求項１８】
請求項１６に記載の非侵襲生体情報測定装置において、
前記繰り返し回数定期確認手段は、外部から書き込み可能なレジスタを備え、前記レジスタの値により、前記繰り返し回数の値を変更することができる、ことを特徴とする非侵襲生体情報測定装置。
【請求項１９】
請求項１６に記載の非侵襲生体情報測定装置において、
前記血糖値推定手段は、繰り返し回数適正確認手段を備え、前記繰り返し回数定期確認手段で変更された繰り返し回数で測定した推定血糖値と、前記繰り返し回数定期確認手段で変更される前に設定されていた繰り返し回数で測定した推定血糖値を比較して誤差を算出し、前記誤差があらかじめ設定された閾値以下であるか判定し、
前記誤差があらかじめ設定された閾値以下である場合には、前記制御手段に対し、前記繰り返し回数定期確認手段で変更される前に設定されていた繰り返し回数に戻すよう繰り返し回数復元信号を出力する、ことを特徴とする非侵襲生体情報測定装置。
【請求項２０】
請求項１９に記載の非侵襲生体情報測定装置において、
前記繰り返し回数適正確認手段は、外部から書き込み可能なレジスタを備え、前記レジスタの値により、前記閾値を変更することができる、ことを特徴とする非侵襲生体情報測定装置。
【発明の詳細な説明】
【技術分野】
【０００１】
本発明は、生体を侵襲することなく生体情報の測定が可能な非侵襲生体情報測定装置に関し、より詳細には、校正期間において非侵襲的に測定した血糖値に基づき、通常測定期間の光量を選択することが可能な非侵襲生体情報測定装置に関する。
【背景技術】
【０００２】
代表的な生活習慣病である糖尿病の患者数は世界的に増加傾向にある。糖尿病患者は、糖尿病による合併症を抑制し、患者の生活の質を向上するために、日常的な血糖コントロールが必要である。そのため、患者は医師の指導のもと、毎日定期的に血糖値を測定しなければならない。
【０００３】
血糖値を測定する代表的な方法としては、患者の指を刺して血液を採取し血糖値を測定する侵襲型の血糖測定装置がある。侵襲型の血糖測定装置では、指を刺して血液を採取する際に手間と痛みを伴うこと、さらに感染症などの危険が伴うことから、血液の採取を必要としない、非侵襲型の血糖測定装置が既に提案されている。
【０００４】
この非侵襲型の血糖測定装置の一例として、光音響効果を用いた「生物学的測定システム」が提案されている（例えば、特許文献１）。
【０００５】
光音響効果を用いた「生物学的測定システム」は、グルコースに吸収される波長の光を、生物学的測定システムから指先のような生体の一部分に照射し、照射された光は生体内の比較的小さい焦点領域に集光される。また、一般的に、集光された光はグルコースに吸収されて、焦点領域と隣接する領域の組織内で運動エネルギーに変換される。
【０００６】
組織内で変換された運動エネルギーは、吸収組織領域の温度及び圧力を増大させ、音波を生成する。この音波を、以下「光音響波信号」と表記する。光音響波信号は吸収組織領域から放射され、生物学的測定システムが備える音響センサによって検出される。音響センサは生体表面と接するよう装着される。光音響波信号の強度は、吸収組織領域内のグルコースの量の関数であり、センサによって計測された強度は血糖値を調べるために使用される。
【特許文献１】特表２００１−５２６５５７号公報
【発明の開示】
【発明が解決しようとする課題】
【０００７】
しかしながら、上記特許文献１に記載された技術では、生体から得られる光音響波は非常に微弱であり、その微弱な信号の変化から特徴量を推定できる信号を得られるレーザの出力を血管の太さや血糖値の濃度等のユーザの生体状態に関係なく使用していた。そのため、低出力で十分な信号が得られるユーザにも高出力のレーザを使用するため大きな消費電力を必要とし、ポータブル機器としては不向きであるという課題を有していた。
【０００８】
また、上記特許文献１に記載された技術では、ノイズの影響や体動の影響を最小限にするために、測定を複数回行い、一連の測定結果を平均化している。そのため、消費電力のみならず、測定時間も増大するという課題を有していた。
【０００９】
本発明は、従来の課題を解決するもので、ユーザの生体状態に応じたレーザの光量を選択し、低消費電力、短測定時間の非侵襲生体情報測定装置を提供することを目的とする。
【課題を解決するための手段】
【００１０】
従来の課題を解決するために、本発明の非侵襲生体情報測定装置は、侵襲型血糖測定装置で測定した血糖値を用いて、非侵襲型血糖測定装置で測定した血糖値を校正する非侵襲生体情報測定装置において、少なくとも一つの光源と、前記光源の光量や点灯タイミングや後述する各手段の起動を制御する制御手段と、生体情報を所定時間測定する生体情報センサと、前記生体情報センサからの出力信号を増幅する増幅手段と、前記増幅された信号をＡ／Ｄ変換するＡ／Ｄ変換手段と、前記Ａ／Ｄ変換されたデジタルデータを記憶する記憶手段と、前記記憶手段に記憶されているデジタルデータを解析して生体情報の特徴量を算出する特徴量検出手段と、前記特徴量検出手段で算出した特徴量と、前記侵襲型血糖測定装置で測定した血糖値から、推定血糖値を求める血糖値推定手段と、を備え、校正期間において前記非侵襲型血糖測定装置での測定を複数の光量で行い、それぞれの光量で算出した複数の前記特徴量と、前記侵襲型血糖測定装置で測定した血糖値から、複数の推定血糖値を算出し、校正期間終了時に、前記侵襲型血糖測定装置で測定した血糖値と前記複数の推定血糖値を比較し最も近い結果となった推定血糖値の光量で通常測定期間の測定を行う、ことを特徴とするものである。
【００１１】
さらに、非侵襲生体情報測定装置において、前記血糖値推定手段は、前記侵襲型血糖測定装置で測定した血糖値と前記複数の推定血糖値を比較して誤差の平均を算出し、前記誤差の平均があらかじめ設定された閾値以下で、かつ、最も小さい光量を検出する光量選択手段を備えた、ことを特徴とするものである。
【００１２】
さらに、非侵襲生体情報測定装置において、前記光量選択手段は、外部から書き込み可能なレジスタを備え、前記レジスタの値により、閾値を変更することができる、ことを特徴とするものである。
【００１３】
さらに、非侵襲生体情報測定装置において、前記制御手段は、光量変更手段を備え、前記血糖値推定手段より出力された光量指示信号に応じて光量を制御する、ことを特徴とするものである。
【００１４】
さらに、非侵襲生体情報測定装置において、前記光量変更手段が、外部から書き込み可能な少なくとも一つの第一のレジスタ群を備え、前記光量指示信号に応じた光量の値を変更することができる、ことを特徴とするものである。
【００１５】
さらに、非侵襲生体情報測定装置において、前記制御手段は、光量定期確認手段を備え、通常測定期間において、前記光源に対し、前記点灯タイミングをあらかじめ設定された周期で、前記光量をあらかじめ設定された値に変更し出力する、ことを特徴とするものである。
【００１６】
さらに、非侵襲生体情報測定装置において、前記光量定期確認手段は、外部から書き込み可能なレジスタを備え、前記レジスタの値により、前記光量を変更する周期を変更することができる、ことを特徴とするものである。
【００１７】
さらに、非侵襲生体情報測定装置において、前記光量定期確認手段は、外部から書き込み可能なレジスタを備え、前記レジスタの値により、前記光量の値を変更することができる、ことを特徴とするものである。
【００１８】
さらに、非侵襲生体情報測定装置において、前記血糖値推定手段は、光量適正確認手段を備え、前記光量定期確認手段で変更された光量で測定した推定血糖値と、前記光量定期確認手段で変更される前に設定されていた光量で測定した推定血糖値を比較して誤差を算出し、前記誤差があらかじめ設定された閾値以下であるか判定し、前記誤差があらかじめ設定された閾値以下である場合には、前記制御手段に対し、前記光量定期確認手段で変更される前に設定されていた光量に戻すよう光量復元信号を出力する、ことを特徴とするものである。
【００１９】
さらに、非侵襲生体情報測定装置において、前記光量適正確認手段は、外部から書き込み可能なレジスタを備え、前記レジスタの値により、前記閾値を変更することができる、ことを特徴とするものである。
【００２０】
また、本発明の非侵襲生体情報測定装置は、侵襲型血糖測定装置で測定した血糖値を用いて、非侵襲型血糖測定装置で測定した血糖値を校正する非侵襲生体情報測定装置において、少なくとも一つの光源と、前記光源の光量や点灯タイミングや後述する各手段の起動を制御する制御手段と、生体情報を所定時間測定する生体情報センサと、前記生体情報センサからの出力信号を増幅する増幅手段と、前記増幅された信号をＡ／Ｄ変換するＡ／Ｄ変換手段と、前記Ａ／Ｄ変換されたデジタルデータを記憶する記憶手段と、前記光源を点灯させ、デジタルデータを前記記憶手段に記憶するまでの一連の動作を所定回数繰り返し、前記記憶手段に記憶されている所定回数分のデジタルデータを平均化し、前記平均化したデータを解析して生体情報の特徴量を算出する特徴量検出手段と、前記特徴量検出手段で算出した特徴量と、前記侵襲型血糖測定装置で測定した血糖値から、推定血糖値を求める血糖値推定手段と、を備え、校正期間において前記非侵襲型血糖測定装置での前記一連の動作を複数の繰り返し回数で行い、それぞれの繰り返し回数で算出した複数の前記特徴量と、前記侵襲型血糖測定装置で測定した血糖値から、複数の推定血糖値を算出し、校正期間終了時に、前記侵襲型血糖測定装置で測定した血糖値と前記複数の推定血糖値を比較し最も近い結果となった推定血糖値の繰り返し回数で通常測定期間の測定を行う、ことを特徴とするものである。
【００２１】
さらに、非侵襲生体情報測定装置において、前記血糖値推定手段は、前記侵襲型血糖測定装置で測定した血糖値と前記複数の推定血糖値を比較して誤差の平均を算出し、前記誤差の平均があらかじめ設定された閾値以下で、かつ、最も小さい繰り返し回数を検出する繰り返し回数選択手段を備えた、ことを特徴とするものである。
【００２２】
さらに、非侵襲生体情報測定装置において、前記繰り返し回数選択手段は、外部から書き込み可能なレジスタを備え、前記レジスタの値により、閾値を変更することができる、ことを特徴とするものである。
【００２３】
さらに、非侵襲生体情報測定装置において、前記制御手段は、繰り返し回数変更手段を備え、前記血糖値推定手段より出力された繰り返し回数指示信号に応じて繰り返し回数を制御する、ことを特徴とするものである。
【００２４】
さらに、非侵襲生体情報測定装置において、前記繰り返し回数変更手段が、外部から書き込み可能な少なくとも一つの第一のレジスタ群を備え、前記繰り返し回数指示信号に応じた繰り返し回数の値を変更することができる、ことを特徴とするものである。
【００２５】
さらに、非侵襲生体情報測定装置において、前記制御手段は、繰り返し回数定期確認手段を備え、通常測定期間において、前記光源に対し、前記点灯タイミングをあらかじめ設定された周期で、あらかじめ設定された値の繰り返し回数に変更し出力する、ことを特徴とするものである。
【００２６】
さらに、非侵襲生体情報測定装置において、前記繰り返し回数定期確認手段は、外部から書き込み可能なレジスタを備え、前記レジスタの値により、前記繰り返し回数を変更する周期を変更することができる、ことを特徴とするものである。
【００２７】
さらに、非侵襲生体情報測定装置において、前記繰り返し回数定期確認手段は、外部から書き込み可能なレジスタを備え、前記レジスタの値により、前記繰り返し回数の値を変更することができる、ことを特徴とするものである。
【００２８】
さらに、非侵襲生体情報測定装置において、前記血糖値推定手段は、繰り返し回数適正確認手段を備え、前記繰り返し回数定期確認手段で変更された繰り返し回数で測定した推定血糖値と、前記繰り返し回数定期確認手段で変更される前に設定されていた繰り返し回数で測定した推定血糖値を比較して誤差を算出し、前記誤差があらかじめ設定された閾値以下であるか判定し、前記誤差があらかじめ設定された閾値以下である場合には、前記制御手段に対し、前記繰り返し回数定期確認手段で変更される前に設定されていた繰り返し回数に戻すよう繰り返し回数復元信号を出力する、ことを特徴とするものである。
【００２９】
さらに、非侵襲生体情報測定装置において、前記繰り返し回数適正確認手段は、外部から書き込み可能なレジスタを備え、前記レジスタの値により、前記閾値を変更することができる、ことを特徴とするものである。
【発明の効果】
【００３０】
本発明の非侵襲生体情報測定装置によれば、低消費電力で短い測定時間の装置を実現することが可能となり、ポータブル機器の連続測定時間を向上することができる。
【発明を実施するための最良の形態】
【００３１】
以下に、本発明の非侵襲生体情報測定装置の実施の形態を図面とともに詳細に説明する。
【００３２】
（実施の形態１）
本発明の実施の形態１において、非侵襲生体情報測定装置は非侵襲型血糖測定装置１０１であることを想定している。
【００３３】
図１は、本発明の実施の形態１におけるシステム構成を示す図である。図１において、１０１は非侵襲型血糖測定装置、１０２は生体の表面、１０３は光、１０４は血管、１０５は光音響波信号である。（ａ）は起動信号８３、（ｂ）は点灯タイミング８２、（ｃ）は光音響波信号１０５、（ｄ）は終了信号８４、（ｅ）は推定血糖値算出タイミングである。
【００３４】
非侵襲型血糖測定装置１０１は、これを生体の表面１０２に接するように装着し、非侵襲型血糖測定装置１０１が照射する光１０３を生体に入射させる。光１０３は生体内を伝播し、血管１０４内の血糖値を推定できる物質で吸収され、光音響波信号１０５が生成される。非侵襲型血糖測定装置１０１は血管１０４内の血糖値を推定できる物質により生成された光音響波信号１０５を検出し、生体情報の特徴量である血糖値を推定する。
【００３５】
図２は、本発明の実施の形態１による非侵襲型血糖測定装置１０１のブロック構成を示す図である。図２において、１０１は非侵襲型血糖測定装置、２０１は光源、２０２は生体情報センサ、２０３は増幅手段、２０４はＡ／Ｄ変換手段、２０５は記憶手段、２０６は特徴量検出手段、２０７は血糖値推定手段、２０８は制御手段である。
【００３６】
光源２０１は、少なくとも一つ以上備え、血管１０４内の血糖値を推定できる物質が吸収する波長の光１０３を放出する。制御手段２０８は、光量変更手段２８１、光量定期確認手段２８５から構成され、光量指示信号７１に応じて光源２０１の光量８１を変更するとともに、光源２０１の点灯タイミング８２を制御し、さらに増幅手段２０３とＡ／Ｄ変換手段２０４に起動信号８３を、増幅手段２０３とＡ／Ｄ変換手段２０４と特徴量検出手段２０６と血糖値推定手段２０７に終了信号８４を出力する。
【００３７】
光量変更手段２８１は、血糖値推定手段２０７より出力された光量指示信号７１に応じて光量８１を光源２０１に出力する。
【００３８】
光量定期確認手段２８５は、通常測定期間において、光源２０１に対し、点灯タイミング８２を確認周期レジスタＡ２８６にあらかじめ設定された周期で、光量８１を確認光量レジスタ２８７にあらかじめ設定された値に変更し出力する。
【００３９】
生体情報センサ２０２は、光音響波信号１０５を電圧信号２１に変換する。増幅手段２０３は、制御手段２０８からの起動信号８３に基づき、電圧信号２１を検出し、増幅信号３１を生成する。Ａ／Ｄ変換手段２０４は、制御手段２０８からの起動信号８３に基づき、増幅信号３１をサンプリングデータ４１に変換する。記憶手段２０５は、サンプリングデータ４１を記憶する領域で、Ａ／Ｄ変換手段２０４によって書き込まれ、特徴量検出手段２０６によって読み出される。特徴量検出手段２０６は、記憶データ５１を解析し生体情報の特徴量６１を算出する。
【００４０】
血糖値推定手段２０７は、光量選択手段２７１、光量適正確認手段２７３から構成され、侵襲型血糖測定装置（図示せず）で測定した血糖値の変化量が校正用血糖閾値レジスタ２７５にあらかじめ設定された閾値以上になったときに校正データを算出し、算出した校正データに基づき、特徴量検出手段２０６で算出した特徴量６１と侵襲型血糖測定装置で測定した血糖値から推定血糖値７２を求め、外部に出力する。
【００４１】
光量選択手段２７１は、侵襲型血糖測定装置で測定した血糖値と複数の推定血糖値を比較して誤差の平均を算出し、誤差の平均が推定誤差レジスタＡ２７２にあらかじめ設定された閾値以下で、かつ、最も小さい推定血糖値の光量を検出し、光量指示信号７１を出力する。
【００４２】
光量適正確認手段２７３は、光量定期確認手段２８５で変更された光量で測定した推定血糖値と、光量定期確認手段２８５で変更される前に設定されていた光量で測定した推定血糖値を比較して誤差を算出し、誤差が適正誤差レジスタＡ２７４にあらかじめ設定された閾値以下であるか判定し、誤差が閾値以下である場合には、制御手段２０８に対し、光量定期確認手段２８５で変更される前に設定されていた光量に戻すよう光量復元信号７３を出力する。
【００４３】
図３は、本発明の実施の形態１における非侵襲型血糖測定装置１０１の推定血糖値７２を時間軸でプロットした図である。図３において、（ａ）は推定血糖値７２、（ｂ）は推定血糖値７２の拡大図（時間１０分〜時間２０分及び時間９０分〜時間１００分）、（ｃ）は光量８１である。
【００４４】
図４は、本発明の実施の形態１における侵襲型血糖測定装置と非侵襲型血糖測定装置１０１の血糖値及び推定血糖値７２を時間軸でプロットした時間０分から２０分までの拡大図である。図４において、４０１は近似式に基づいて計算された近似曲線である。
【００４５】
以下、図１、図２、図３を用いて非侵襲型血糖測定装置１０１が血糖値の連続測定を行う場合の動作について説明する。
【００４６】
本発明の実施の形態１において、侵襲型血糖測定装置での測定は１０分間隔で、非侵襲型血糖測定装置１０１での測定は、制御手段２０８が増幅手段２０３とＡ／Ｄ変換手段２０４に起動信号８３を出力してから、血糖値推定手段２０７が推定血糖値７２を算出し外部に出力するまでの区間を測定基本サイクルとし、６分間隔で繰り返す。
【００４７】
但し、呼吸や脈拍等の体動、外部ノイズの影響による推定血糖値７２の誤差を最小限に抑えるために、上記測定基本サイクルを１０μｓから１００ｍｓ程度の周期で規定回数繰り返し動作させ、測定基本サイクルとし推定血糖値７２を算出する方法もある。（詳細は実施の形態２で示す。）
ここで、外部より書き込み可能なレジスタの初期値として、
光量変更手段２８１の最小光量値（最小光量レジスタ２８２）として２０μＪ、
光量変更手段２８１の光量８１の増加量（増加光量レジスタ２８３）として２０μＪ、
光量変更手段２８１の最大光量値（最大光量レジスタ２８４）として１００μＪ、
光量選択手段２７１の侵襲型血糖測定装置で測定した血糖値と推定血糖値７２の誤差の平均閾値（推定誤差レジスタＡ２７２）として１０ｍｇ／ｄｌ、
光量定期確認手段２８５の点灯タイミング８２の出力周期（確認周期レジスタＡ２８６）として３０分、
光量定期確認手段２８５の光量８１として（確認光量レジスタ２８７）１００μＪ、
光量適正確認手段２７３の光量定期確認手段２８５で変更された光量で測定した推定血糖値と、光量定期確認手段２８５で変更される前に設定されていた光量で測定した推定血糖値の誤差（適正誤差レジスタＡ２７４）として３ｍｇ／ｄｌ、
校正データを算出するために必要な侵襲型血糖測定装置の血糖値の変化量（校正用血糖閾値レジスタ２７５）として７０ｍｇ／ｄｌを設定する。
【００４８】
まず、時間０分のとき、ユーザにより侵襲型血糖測定装置が備える採血スイッチ（図示せず）が押されると採血を伴う血糖値の測定を開始する。穿刺針などの採血手段により生体から血液を採取し、血糖値を測定する。
【００４９】
このときの血糖値は７０ｍｇ／ｄｌとする。
【００５０】
ユーザは侵襲型血糖測定装置で測定した血糖値などの血糖測定情報９１（時間０分：７０ｍｇ／ｄｌ）を非侵襲型血糖測定装置１０１に伝えるため、非侵襲型血糖測定装置１０１が備える血糖測定情報入力手段（図示せず）により血糖測定情報９１を入力する。
【００５１】
入力された血糖測定情報９１は記憶手段２０５に保存される。
【００５２】
なお、ここでは、侵襲型血糖測定装置で測定した血糖測定情報９１はユーザにより非侵襲型血糖測定装置１０１に入力されるとしたが、侵襲型血糖測定装置から非侵襲型血糖測定装置１０１に自動で転送されてもよい。
【００５３】
非侵襲型血糖測定装置１０１は図１に示すように腕などの生体の表面１０２に装着し、その後、ユーザが非侵襲型血糖測定装置１０１に設けられた血糖値測定開始スイッチ（図示せず）を起動すると、制御手段２０８が増幅手段２０３とＡ／Ｄ変換手段２０４に起動信号８３を出力し、増幅手段２０３とＡ／Ｄ変換手段２０４が安定動作に入るタイミングで光源２０１の光量８１と点灯タイミング８２を制御し、光源２０１を点灯する。
【００５４】
このとき、光量変更手段２８１が備える最小光量レジスタ２８２には２０μＪが設定されているため、光量８１として２０μＪが光源２０１に出力される。
【００５５】
なお、ここでは、侵襲型血糖測定装置と非侵襲型血糖測定装置１０１はユーザによりそれぞれ同時に採血スイッチ及び測定開始スイッチが押され測定が開始されるものとして説明したが、同時刻に測定が行われなくてもよいし、侵襲型血糖測定装置から非侵襲型血糖測定装置１０１を起動し測定を開始してもよいし、非侵襲型血糖測定装置１０１から侵襲型血糖測定装置を起動し測定を開始してもよい。
【００５６】
光源２０１からの光１０３は生体内を伝播し、血管１０４内の血糖値を推定できる物質で吸収され光音響波信号１０５が生成される。
【００５７】
生体情報センサ２０２は、光音響波信号１０５の圧力を電圧信号２１に変換する。増幅手段２０３は、制御手段２０８からの起動信号８３を受け取り、生体情報センサ２０２によって変換された電圧信号２１をあらかじめ設定されているゲインで増幅し、増幅信号３１としてＡ／Ｄ変換手段２０４に出力する。
【００５８】
なお、ここで、増幅手段２０３に起動信号８３と終了信号８４が入力されているのは、光音響波信号１０５の発生するタイミングでのみ増幅手段２０３の構成要素であるオペアンプ等の素子の動作をイネーブルにするためのものである、増幅手段２０３の低消費電力化を図る目的のものである。従って、これらの信号が入力されていなくても同等の動作をすることは可能である。
【００５９】
Ａ／Ｄ変換手段２０４は、制御手段２０８からの起動信号８３を受け取り、増幅手段２０３から出力された増幅信号３１を特定の間隔でアナログデジタル変換し、サンプリングデータ４１を記憶手段２０５に書き込む。
【００６０】
なお、ここで、Ａ／Ｄ変換手段２０４に起動信号８３と終了信号８４が入力されているのは、光音響波信号１０５の発生するタイミングでのみＡ／Ｄ変換手段２０４の構成要素であるＡＤコンバータ等の素子の動作をイネーブルにするためのものであり、Ａ／Ｄ変換手段２０４の低消費電力化を図る目的のものである。従って、これらの信号が入力されていなくても同等の動作をすることは可能である。
【００６１】
特徴量検出手段２０６は、制御手段２０８からの終了信号８４を受け取り、記憶手段２０５に記憶されている記憶データ５１を読み出し、解析して生体情報の特徴量６１を算出し、保存する。
【００６２】
なお、ここで、Ａ／Ｄ変換手段２０４のサンプリングデータ４１を記憶手段２０５に一度書き込み、特徴量検出手段２０６で読み出して解析することにより特徴量６１を算出しているが、特徴量検出手段２０６が直接Ａ／Ｄ変換手段２０４からサンプリングデータ４１を受け取ることでも特徴量６１が算出できることは明白である。
【００６３】
２０μＪの光量８１で光源２０１を点灯し、特徴量６１を保存する一連の動作を終了すると、光量変更手段２８１は、増加光量レジスタ２８３に設定されている２０μＪを現在の光量８１に加算し、加算した光量８１（４０μＪ）が最大光量レジスタ２８４に設定されている最大光量（１００μＪ）より大きいかどうか比較する。
【００６４】
加算した光量８１が最大光量レジスタ２８４を超えていないので、制御手段２０８が４０μＪの光量８１と点灯タイミング８２を制御し、光源２０１を点灯する。
【００６５】
２０μＪの光量８１のときと同様に、４０μＪの光量８１で光源２０１を点灯し、特徴量６１を保存する一連の動作を行い、一連の動作が終了すると、光量変更手段２８１は、増加光量レジスタ２８３に設定されている２０μＪを現在の光量８１に加算し、加算した光量８１（６０μＪ）が最大光量レジスタ２８４に設定されている最大光量（１００μＪ）より大きいかどうか比較する。
【００６６】
加算した光量８１が最大光量レジスタ２８４を超えていないので、制御手段２０８が６０μＪの光量８１と点灯タイミング８２を制御し、光源２０１を点灯する。
【００６７】
２０μＪの光量８１のときと同様に、６０μＪの光量８１で光源２０１を点灯し、特徴量６１を保存する一連の動作を行い、一連の動作が終了すると、光量変更手段２８１は、増加光量レジスタ２８３に設定されている２０μＪを現在の光量８１に加算し、加算した光量８１（８０μＪ）が最大光量レジスタ２８４に設定されている最大光量（１００μＪ）より大きいかどうか比較する。
【００６８】
加算した光量８１が最大光量レジスタ２８４を超えていないので、制御手段２０８が８０μＪの光量８１と点灯タイミング８２を制御し、光源２０１を点灯する。
【００６９】
２０μＪの光量８１のときと同様に、８０μＪの光量８１で光源２０１を点灯し、特徴量６１を保存する一連の動作を行い、一連の動作が終了すると、光量変更手段２８１は、増加光量レジスタ２８３に設定されている２０μＪを現在の光量８１に加算し、加算した光量８１（１００μＪ）が最大光量レジスタ２８４に設定されている最大光量（１００μＪ）より大きいかどうか比較する。
【００７０】
加算した光量８１が最大光量レジスタ２８４を超えていないので、制御手段２０８が１００μＪの光量８１と点灯タイミング８２を制御し、光源２０１を点灯する。
【００７１】
２０μＪの光量８１のときと同様に、１００μＪの光量８１で光源２０１を点灯し、特徴量６１を保存する一連の動作を行い、一連の動作が終了すると、光量変更手段２８１は、増加光量レジスタ２８３設定されている２０μＪを現在の光量８１に加算し、加算した光量８１（１２０μＪ）が最大光量レジスタ２８４に設定されている最大光量（１００μＪ）より大きいかどうか比較する。
【００７２】
加算した光量８１が最大光量レジスタ２８４を超えているので、光量変更手段２８１は光量８１を最小光量レジスタ２８２に設定されている最小光量（２０μＪ）に戻し、次の非侵襲型血糖測定装置１０１での測定タイミング（６分）まで待機する。
【００７３】
なお、ここでは、光量変更手段２８１が備えるレジスタ群（最小光量レジスタ２８２、増加光量レジスタ２８３、最大光量レジスタ２８４）に従って最小光量（２０μＪ）から最大光量（１００μＪ）まで光量８１を変更するものとしたが、複数の光量を設定するレジスタ群を備えることにより光量８１を変更する方式でもよい。
【００７４】
時間６分のとき、非侵襲型血糖測定装置１０１での測定が６分間隔で行われるため、時間０分のときと同様に、２０μＪ〜１００μＪまで２０μＪ間隔で光源２０１を点灯し、特徴量６１を保存する一連の動作を行う。
【００７５】
１００μＪの光量８１での測定が終了すると、光量変更手段２８１は光量８１を最小光量レジスタ２８２に設定されている最小光量（２０μＪ）に戻し、次の非侵襲型血糖測定装置１０１での測定タイミング（１２分）まで待機する。
【００７６】
時間１０分のとき、時間０分のときと同様に、侵襲型血糖測定装置が備える採血スイッチをユーザが押すことにより、測定が開始され、侵襲型血糖測定装置での測定を行う。測定方法は、時間０分のときと同様である。
【００７７】
このときの血糖値は８２ｍｇ／ｄｌとする。ユーザは侵襲型血糖測定装置で測定した血糖測定情報９１（時間１０分：８２ｍｇ／ｄｌ）を非侵襲型血糖測定装置１０１に入力する。
【００７８】
入力された血糖測定情報９１は記憶手段２０５に保存されるとともに、血糖値推定手段２０７に入力され、時間０分の血糖値（７０ｍｇ／ｄｌ）と比較され変化量１２ｍｇ／ｄｌを算出する。算出した変化量が校正用血糖閾値レジスタ２７５に設定されている閾値７０ｍｇ／ｄｌより小さいので引き続き、侵襲型血糖測定装置での測定を行う。
【００７９】
時間１２分のとき、非侵襲型血糖測定装置１０１は、時間６分のときと同様に、２０μＪ〜１００μＪまで２０μＪ間隔で光源２０１を点灯し、特徴量６１を保存する一連の動作を行う。
【００８０】
１００μＪの光量８１での測定が終了すると、光量変更手段２８１は光量８１を最小光量レジスタ２８２に設定されている最小光量（２０μＪ）に戻し、次の非侵襲型血糖測定装置１０１での測定タイミング（１８分）まで待機する。
【００８１】
時間１８分のとき、非侵襲型血糖測定装置１０１は、時間６分のときと同様に、２０μＪ〜１００μＪまで２０μＪ間隔で光源２０１を点灯し、特徴量６１を保存する一連の動作を行う。
【００８２】
１００μＪの光量８１での測定が終了すると、光量変更手段２８１は光量８１を最小光量レジスタ２８２に設定されている最小光量（２０μＪ）に戻し、次の非侵襲型血糖測定装置１０１での測定タイミング（２４分）まで待機する。
【００８３】
時間２０分のとき、時間０分のときと同様に、侵襲型血糖測定装置が備える採血スイッチをユーザが押すことにより、測定が開始され、侵襲型血糖測定装置での測定を行う。測定方法は、時間０分のときと同様である。
【００８４】
このときの血糖値は１００ｍｇ／ｄｌとする。ユーザは侵襲型血糖測定装置で測定した血糖測定情報９１（時間２０分：１００ｍｇ／ｄｌ）を非侵襲型血糖測定装置１０１に入力する。
【００８５】
入力された血糖測定情報９１は記憶手段２０５に保存されるとともに、血糖値推定手段２０７に入力され、時間０分の血糖値（７０ｍｇ／ｄｌ）と比較され変化量３０ｍｇ／ｄｌを算出する。算出した変化量が校正用血糖閾値レジスタ２７５に設定されている閾値７０ｍｇ／ｄｌより小さいので引き続き、侵襲型血糖測定装置での測定を行う。
【００８６】
時間２４分のとき、非侵襲型血糖測定装置１０１は、時間６分のときと同様に、２０μＪ〜１００μＪまで２０μＪ間隔で光源２０１を点灯し、特徴量６１を保存する一連の動作を行う。
【００８７】
１００μＪの光量８１での測定が終了すると、光量変更手段２８１は光量８１を最小光量レジスタ２８２に設定されている最小光量（２０μＪ）に戻し、次の非侵襲型血糖測定装置１０１での測定タイミング（３０分）まで待機する。
【００８８】
時間３０分のとき、時間０分のときと同様に、侵襲型血糖測定装置が備える採血スイッチをユーザが押すことにより、測定が開始され、侵襲型血糖測定装置での測定を行う。測定方法は、時間０分のときと同様である。
【００８９】
このときの血糖値は１１８ｍｇ／ｄｌとする。ユーザは侵襲型血糖測定装置で測定した血糖測定情報９１（時間３０分：１１８ｍｇ／ｄｌ）を非侵襲型血糖測定装置１０１に入力する。
【００９０】
入力された血糖測定情報９１は記憶手段２０５に保存されるとともに、血糖値推定手段２０７に入力され、時間０分の血糖値（７０ｍｇ／ｄｌ）と比較され変化量４８ｍｇ／ｄｌを算出する。算出した変化量が校正用血糖閾値レジスタ２７５に設定されている閾値７０ｍｇ／ｄｌより小さいので引き続き、侵襲型血糖測定装置での測定を行う。
【００９１】
非侵襲型血糖測定装置１０１は、時間６分のときと同様に、２０μＪ〜１００μＪまで２０μＪ間隔で光源２０１を点灯し、特徴量６１を保存する一連の動作を行う。
【００９２】
１００μＪの光量８１での測定が終了すると、光量変更手段２８１は光量８１を最小光量レジスタ２８２に設定されている最小光量（２０μＪ）に戻し、次の非侵襲型血糖測定装置１０１での測定タイミング（３６分）まで待機する。
【００９３】
時間３６分のとき、非侵襲型血糖測定装置１０１は、時間６分のときと同様に、２０μＪ〜１００μＪまで２０μＪ間隔で光源２０１を点灯し、特徴量６１を保存する一連の動作を行う。
【００９４】
１００μＪの光量８１での測定が終了すると、光量変更手段２８１は光量８１を最小光量レジスタ２８２に設定されている最小光量（２０μＪ）に戻し、次の非侵襲型血糖測定装置１０１での測定タイミング（４２分）まで待機する。
【００９５】
時間４０分のとき、時間０分のときと同様に、侵襲型血糖測定装置が備える採血スイッチをユーザが押すことにより、測定が開始され、侵襲型血糖測定装置での測定を行う。測定方法は、時間０分のときと同様である。
【００９６】
このときの血糖値は１２５ｍｇ／ｄｌとする。ユーザは侵襲型血糖測定装置で測定した血糖測定情報９１（時間４０分：１２５ｍｇ／ｄｌ）を非侵襲型血糖測定装置１０１に入力する。
【００９７】
入力された血糖測定情報９１は記憶手段２０５に保存されるとともに、血糖値推定手段２０７に入力され、時間０分の血糖値（７０ｍｇ／ｄｌ）と比較され変化量６０ｍｇ／ｄｌを算出する。算出した変化量が校正用血糖閾値レジスタ２７５に設定されている閾値７０ｍｇ／ｄｌより小さいので引き続き、侵襲型血糖測定装置での測定を行う。
【００９８】
時間４２分のとき、非侵襲型血糖測定装置１０１は、時間６分のときと同様に、２０μＪ〜１００μＪまで２０μＪ間隔で光源２０１を点灯し、特徴量６１を保存する一連の動作を行う。
【００９９】
１００μＪの光量８１での測定が終了すると、光量変更手段２８１は光量８１を最小光量レジスタ２８２に設定されている最小光量（２０μＪ）に戻し、次の非侵襲型血糖測定装置１０１での測定タイミング（４８分）まで待機する。
【０１００】
時間４８分のとき、非侵襲型血糖測定装置１０１は、時間６分のときと同様に、２０μＪ〜１００μＪまで２０μＪ間隔で光源２０１を点灯し、特徴量６１を保存する一連の動作を行う。
【０１０１】
１００μＪの光量８１での測定が終了すると、光量変更手段２８１は光量８１を最小光量レジスタ２８２に設定されている最小光量（２０μＪ）に戻し、次の非侵襲型血糖測定装置１０１での測定タイミング（５４分）まで待機する。
【０１０２】
時間５０分のとき、時間０分のときと同様に、侵襲型血糖測定装置が備える採血スイッチをユーザが押すことにより、測定が開始され、侵襲型血糖測定装置での測定を行う。測定方法は、時間０分のときと同様である。
【０１０３】
このときの血糖値は１３８ｍｇ／ｄｌとする。ユーザは侵襲型血糖測定装置で測定した血糖測定情報９１（時間５０分：１３８ｍｇ／ｄｌ）を非侵襲型血糖測定装置１０１に入力する。
【０１０４】
入力された血糖測定情報９１は記憶手段２０５に保存されるとともに、血糖値推定手段２０７に入力され、時間０分の血糖値（７０ｍｇ／ｄｌ）と比較され変化量６８ｍｇ／ｄｌを算出する。算出した変化量が校正用血糖閾値レジスタ２７５に設定されている閾値７０ｍｇ／ｄｌより小さいので引き続き、侵襲型血糖測定装置での測定を行う。
【０１０５】
時間５４分のとき、非侵襲型血糖測定装置１０１は、時間６分のときと同様に、２０μＪ〜１００μＪまで２０μＪ間隔で光源２０１を点灯し、特徴量６１を保存する一連の動作を行う。
【０１０６】
１００μＪの光量８１での測定が終了すると、光量変更手段２８１は光量８１を最小光量レジスタ２８２に設定されている最小光量（２０μＪ）に戻し、次の非侵襲型血糖測定装置１０１での測定タイミング（６０分）まで待機する。
【０１０７】
時間６０分のとき、時間０分のときと同様に、侵襲型血糖測定装置が備える採血スイッチをユーザが押すことにより、測定が開始され、侵襲型血糖測定装置での測定を行う。測定方法は、時間０分のときと同様である。
【０１０８】
このときの血糖値は１４２ｍｇ／ｄｌとする。ユーザは侵襲型血糖測定装置で測定した血糖測定情報９１（時間６０分：１４２ｍｇ／ｄｌ）を非侵襲型血糖測定装置１０１に入力する。
【０１０９】
入力された血糖測定情報９１は記憶手段２０５に保存されるとともに、血糖値推定手段２０７に入力され、時間０分の血糖値（７０ｍｇ／ｄｌ）と比較され変化量７２ｍｇ／ｄｌを算出する。算出した変化量が校正用血糖閾値レジスタ２７５に設定されている閾値７０ｍｇ／ｄｌ以上なので、これまでに測定した侵襲型血糖測定装置の７つのデータ（時間０分：７０ｍｇ／ｄｌ、時間１０分：８２ｍｇ／ｄｌ、時間２０分：１００ｍｇ／ｄｌ、時間３０分：１１８ｍｇ／ｄｌ、時間４０分：１２５ｍｇ／ｄｌ、時間５０分：１３８ｍｇ／ｄｌ、時間６０分：１４２ｍｇ／ｄｌ）を基に近似式を算出し、算出した近似式から近似曲線４０１を求める。さらに、非侵襲血糖測定装置１０１で測定したタイミングの近似血糖値を近似曲線４０１から算出し、この近似血糖値と各光量に対する非侵襲血糖測定装置１０１の特徴量６１を基に各光量ごとに校正データを算出する。
【０１１０】
算出した校正データに基づき、時間０分から時間６０分までの各光量ごとの推定血糖値７２を求める。
【０１１１】
各測定時間における推定血糖値７２を校正データに基づき算出すると、
時間０分のとき、
光量２０μＪの推定血糖値７２は６８ｍｇ／ｄｌ、
光量４０μＪの推定血糖値７２は６９ｍｇ／ｄｌ、
光量６０μＪの推定血糖値７２は７０ｍｇ／ｄｌ、
光量８０μＪの推定血糖値７２は７０ｍｇ／ｄｌ、
光量１００μＪの推定血糖値７２は７０ｍｇ／ｄｌとなる。
【０１１２】
時間６分のとき、
光量２０μＪの推定血糖値７２は７５ｍｇ／ｄｌ、
光量４０μＪの推定血糖値７２は７６ｍｇ／ｄｌ、
光量６０μＪの推定血糖値７２は７８ｍｇ／ｄｌ、
光量８０μＪの推定血糖値７２は７８ｍｇ／ｄｌ、
光量１００μＪの推定血糖値７２は７８ｍｇ／ｄｌとなる。
【０１１３】
時間１２分のとき、
光量２０μＪの推定血糖値７２は７９ｍｇ／ｄｌ、
光量４０μＪの推定血糖値７２は８０ｍｇ／ｄｌ、
光量６０μＪの推定血糖値７２は８３ｍｇ／ｄｌ、
光量８０μＪの推定血糖値７２は８５ｍｇ／ｄｌ、
光量１００μＪの推定血糖値７２は８７ｍｇ／ｄｌとなる。
【０１１４】
時間１８分のとき、
光量２０μＪの推定血糖値７２は８０ｍｇ／ｄｌ、
光量４０μＪの推定血糖値７２は８２ｍｇ／ｄｌ、
光量６０μＪの推定血糖値７２は８５ｍｇ／ｄｌ、
光量８０μＪの推定血糖値７２は８８ｍｇ／ｄｌ、
光量１００μＪの推定血糖値７２は９２ｍｇ／ｄｌとなる。
【０１１５】
時間２４分のとき、
光量２０μＪの推定血糖値７２は８２ｍｇ／ｄｌ、
光量４０μＪの推定血糖値７２は８３ｍｇ／ｄｌ、
光量６０μＪの推定血糖値７２は９２ｍｇ／ｄｌ、
光量８０μＪの推定血糖値７２は１０５ｍｇ／ｄｌ、
光量１００μＪの推定血糖値７２は１０８ｍｇ／ｄｌとなる。
【０１１６】
時間３０分のとき、
光量２０μＪの推定血糖値７２は８３ｍｇ／ｄｌ、
光量４０μＪの推定血糖値７２は８５ｍｇ／ｄｌ、
光量６０μＪの推定血糖値７２は９８ｍｇ／ｄｌ、
光量８０μＪの推定血糖値７２は１１３ｍｇ／ｄｌ、
光量１００μＪの推定血糖値７２は１１５ｍｇ／ｄｌとなる。
【０１１７】
時間３６分のとき、
光量２０μＪの推定血糖値７２は８３ｍｇ／ｄｌ、
光量４０μＪの推定血糖値７２は８８ｍｇ／ｄｌ、
光量６０μＪの推定血糖値７２は１０５ｍｇ／ｄｌ、
光量８０μＪの推定血糖値７２は１１７ｍｇ／ｄｌ、
光量１００μＪの推定血糖値７２は１１９ｍｇ／ｄｌとなる。
【０１１８】
時間４２分のとき、
光量２０μＪの推定血糖値７２は８２ｍｇ／ｄｌ、
光量４０μＪの推定血糖値７２は９０ｍｇ／ｄｌ、
光量６０μＪの推定血糖値７２は１１０ｍｇ／ｄｌ、
光量８０μＪの推定血糖値７２は１２８ｍｇ／ｄｌ、
光量１００μＪの推定血糖値７２は１２９ｍｇ／ｄｌとなる。
【０１１９】
時間４８分のとき、
光量２０μＪの推定血糖値７２は８４ｍｇ／ｄｌ、
光量４０μＪの推定血糖値７２は９２ｍｇ／ｄｌ、
光量６０μＪの推定血糖値７２は１１５ｍｇ／ｄｌ、
光量８０μＪの推定血糖値７２は１３３ｍｇ／ｄｌ、
光量１００μＪの推定血糖値７２は１３４ｍｇ／ｄｌとなる。
【０１２０】
時間５４分のとき、
光量２０μＪの推定血糖値７２は８５ｍｇ／ｄｌ、
光量４０μＪの推定血糖値７２は９５ｍｇ／ｄｌ、
光量６０μＪの推定血糖値７２は１２３ｍｇ／ｄｌ、
光量８０μＪの推定血糖値７２は１３８ｍｇ／ｄｌ、
光量１００μＪの推定血糖値７２は１３８ｍｇ／ｄｌとなる。
【０１２１】
時間６０分のとき、
光量２０μＪの推定血糖値７２は８５ｍｇ／ｄｌ、
光量４０μＪの推定血糖値７２は１００ｍｇ／ｄｌ、
光量６０μＪの推定血糖値７２は１３３ｍｇ／ｄｌ、
光量８０μＪの推定血糖値７２は１４２ｍｇ／ｄｌ、
光量１００μＪの推定血糖値７２は１４２ｍｇ／ｄｌとなる。
【０１２２】
次に、光量選択手段２７１は時間０分から時間６０分までの各光量ごとの非侵襲血糖測定装置の推定血糖値７２と侵襲型血糖測定装置の血糖値、あるいは、血糖値を測定していない場合は近似血糖値とを比較して誤差を算出する。
【０１２３】
各測定時間における誤差を算出すると、
時間０分のとき、侵襲型血糖測定装置の血糖値は７０ｍｇ／ｄｌなので、
光量２０μＪの推定血糖値７２との誤差は２ｍｇ／ｄｌ、
光量４０μＪの推定血糖値７２との誤差は１ｍｇ／ｄｌ、
光量６０μＪの推定血糖値７２との誤差は０ｍｇ／ｄｌ、
光量８０μＪの推定血糖値７２との誤差は０ｍｇ／ｄｌ、
光量１００μＪの推定血糖値７２との誤差は０ｍｇ／ｄｌとなる。
【０１２４】
時間６分のとき、侵襲型血糖測定装置の近似血糖値は７８ｍｇ／ｄｌなので、
光量２０μＪの推定血糖値７２との誤差は３ｍｇ／ｄｌ、
光量４０μＪの推定血糖値７２との誤差は２ｍｇ／ｄｌ、
光量６０μＪの推定血糖値７２との誤差は０ｍｇ／ｄｌ、
光量８０μＪの推定血糖値７２との誤差は０ｍｇ／ｄｌ、
光量１００μＪの推定血糖値７２との誤差は０ｍｇ／ｄｌとなる。
【０１２５】
時間１２分のとき、侵襲型血糖測定装置の近似血糖値は８９ｍｇ／ｄｌなので、
光量２０μＪの推定血糖値７２との誤差は１０ｍｇ／ｄｌ、
光量４０μＪの推定血糖値７２との誤差は９ｍｇ／ｄｌ、
光量６０μＪの推定血糖値７２との誤差は６ｍｇ／ｄｌ、
光量８０μＪの推定血糖値７２との誤差は４ｍｇ／ｄｌ、
光量１００μＪの推定血糖値７２との誤差は２ｍｇ／ｄｌとなる。
【０１２６】
時間１８分のとき、侵襲型血糖測定装置の近似血糖値は９８ｍｇ／ｄｌなので、
光量２０μＪの推定血糖値７２との誤差は１８ｍｇ／ｄｌ、
光量４０μＪの推定血糖値７２との誤差は１６ｍｇ／ｄｌ、
光量６０μＪの推定血糖値７２との誤差は１３ｍｇ／ｄｌ、
光量８０μＪの推定血糖値７２との誤差は１０ｍｇ／ｄｌ、
光量１００μＪの推定血糖値７２との誤差は６ｍｇ／ｄｌとなる。
【０１２７】
時間２４分のとき、侵襲型血糖測定装置の近似血糖値は１０７ｍｇ／ｄｌなので、
光量２０μＪの推定血糖値７２との誤差は２５ｍｇ／ｄｌ、
光量４０μＪの推定血糖値７２との誤差は２４ｍｇ／ｄｌ、
光量６０μＪの推定血糖値７２との誤差は１５ｍｇ／ｄｌ、
光量８０μＪの推定血糖値７２との誤差は２ｍｇ／ｄｌ、
光量１００μＪの推定血糖値７２との誤差は１ｍｇ／ｄｌとなる。
【０１２８】
時間３０分のとき、侵襲型血糖測定装置の近似血糖値は１１８ｍｇ／ｄｌなので、
光量２０μＪの推定血糖値７２との誤差は３５ｍｇ／ｄｌ、
光量４０μＪの推定血糖値７２との誤差は３３ｍｇ／ｄｌ、
光量６０μＪの推定血糖値７２との誤差は２０ｍｇ／ｄｌ、
光量８０μＪの推定血糖値７２との誤差は５ｍｇ／ｄｌ、
光量１００μＪの推定血糖値７２との誤差は３ｍｇ／ｄｌとなる。
【０１２９】
時間３６分のとき、侵襲型血糖測定装置の近似血糖値は１２２ｍｇ／ｄｌなので、
光量２０μＪの推定血糖値７２との誤差は３９ｍｇ／ｄｌ、
光量４０μＪの推定血糖値７２との誤差は３７ｍｇ／ｄｌ、
光量６０μＪの推定血糖値７２との誤差は２４ｍｇ／ｄｌ、
光量８０μＪの推定血糖値７２との誤差は９ｍｇ／ｄｌ、
光量１００μＪの推定血糖値７２との誤差は７ｍｇ／ｄｌとなる。
【０１３０】
時間４２分のとき、侵襲型血糖測定装置の近似血糖値は１２８ｍｇ／ｄｌなので、
光量２０μＪの推定血糖値７２との誤差は４６ｍｇ／ｄｌ、
光量４０μＪの推定血糖値７２との誤差は３８ｍｇ／ｄｌ、
光量６０μＪの推定血糖値７２との誤差は１８ｍｇ／ｄｌ、
光量８０μＪの推定血糖値７２との誤差は０ｍｇ／ｄｌ、
光量１００μＪの推定血糖値７２との誤差は１ｍｇ／ｄｌとなる。
【０１３１】
時間４８分のとき、侵襲型血糖測定装置の近似血糖値は１３３ｍｇ／ｄｌなので、
光量２０μＪの推定血糖値７２との誤差は４９ｍｇ／ｄｌ、
光量４０μＪの推定血糖値７２との誤差は４１ｍｇ／ｄｌ、
光量６０μＪの推定血糖値７２との誤差は１８ｍｇ／ｄｌ、
光量８０μＪの推定血糖値７２との誤差は０ｍｇ／ｄｌ、
光量１００μＪの推定血糖値７２との誤差は１ｍｇ／ｄｌとなる。
【０１３２】
時間５４分のとき、侵襲型血糖測定装置の近似血糖値は１３８ｍｇ／ｄｌなので、
光量２０μＪの推定血糖値７２との誤差は５３ｍｇ／ｄｌ、
光量４０μＪの推定血糖値７２との誤差は４３ｍｇ／ｄｌ、
光量６０μＪの推定血糖値７２との誤差は１５ｍｇ／ｄｌ、
光量８０μＪの推定血糖値７２との誤差は０ｍｇ／ｄｌ、
光量１００μＪの推定血糖値７２との誤差は０ｍｇ／ｄｌとなる。
【０１３３】
時間６０分のとき、侵襲型血糖測定装置の近似血糖値は１４２ｍｇ／ｄｌなので、
光量２０μＪの推定血糖値７２との誤差は５７ｍｇ／ｄｌ、
光量４０μＪの推定血糖値７２との誤差は４２ｍｇ／ｄｌ、
光量６０μＪの推定血糖値７２との誤差は９０ｍｇ／ｄｌ、
光量８０μＪの推定血糖値７２との誤差は０ｍｇ／ｄｌ、
光量１００μＪの推定血糖値７２との誤差は０ｍｇ／ｄｌとなる。
【０１３４】
次に、光量選択手段２７１は各光量における誤差の平均をそれぞれ算出し、算出した誤差の平均があらかじめ設定された推定誤差レジスタＡ２７２以下で、かつ、最も小さい光量を光量指示信号７１として出力する。
【０１３５】
各光量における誤差の平均は、
光量２０μＪのとき３１ｍｇ／ｄｌ、
光量４０μＪのとき２６ｍｇ／ｄｌ、
光量６０μＪのとき１２ｍｇ／ｄｌ、
光量８０μＪのとき２．４ｍｇ／ｄｌ、
光量１００μＪのとき１．５ｍｇ／ｄｌとなる。
【０１３６】
光量選択手段２７１は算出した誤差の平均が推定誤差レジスタＡ２７２にあらかじめ設定された誤差の平均閾値（１０ｍｇ／ｄｌ）以下で、かつ、最も小さい光量８０μＪを光量指示信号７１として出力するとともに、推定血糖値７２を外部に出力する。
【０１３７】
制御手段２０８に、血糖値推定手段２０７より出力された光量指示信号７１が入力されると、光量変更手段２８１は、光量指示信号７１に応じて通常測定期間で使用する光量８１を８０μＪに変更する。
【０１３８】
光量定期確認手段２８５は、光量指示信号７１を検出すると、経過時間の測定を開始する。
【０１３９】
なお、ここでは、算出した校正データを使って、時間０分から時間６０分までの推定血糖値７２を算出し、それぞれの測定時間における侵襲型血糖測定装置の血糖値と推定血糖値７２の誤差の平均を求めて、通常測定期間で使用する光量８１を決定するとして説明したが、校正データを算出したタイミングで誤差を求めて通常測定期間で使用する光量８１を決定したり、校正期間中の結果を使って通常測定期間に使用する光量８１を決定したりするその他の方法でも良い。
【０１４０】
校正期間が終了すると通常測定期間となり、時間６６分以降６分ごとに、非侵襲血糖値測定装置での測定を行う。
【０１４１】
時間６６分のとき、経過時間は６分である。
【０１４２】
経過時間が確認周期レジスタＡ２８６にあらかじめ設定された３０分を超えていないので、制御手段２０８が、校正期間で決定した８０μＪの光量８１と点灯タイミング８２を制御して光源２０１を点灯し、光１０３により血管１０４内の血糖値を推定できる物質から発生した光音響波信号１０５から生体情報の特徴量６１を算出し、血糖値推定手段２０７が算出した特徴量６１から、校正データに基づいて推定血糖値７２を求め、外部に出力する一連の処理は校正期間と同様である。
【０１４３】
時間７２分以降６分ごとに、経過時間が３０分を超えるまで、経過時間６６分のときと同様に非侵襲血糖測定装置での測定を行う。
【０１４４】
時間９６分のとき、経過時間は３６分である。
【０１４５】
経過時間が確認周期レジスタＡ２８６にあらかじめ設定された３０分を超えているので、制御手段２０８が、校正期間で決定した８０μＪの光量８１で推定血糖値７２を算出した後、光量定期確認手段２８５が確認光量レジスタ２８７にあらかじめ設定された１００μＪの光量８１で推定血糖値７２の測定を行う。
【０１４６】
まず、制御手段２０８が８０μＪの光量８１と点灯タイミング８２を制御して光源２０１を点灯し、光１０３により血管１０４内の血糖値を推定できる物質から発生した光音響波信号１０５から生体情報の特徴量６１を算出し、血糖値推定手段２０７が算出した特徴量６１から、校正データに基づいて推定血糖値７２を求める。８０μＪの推定血糖値７２は１６２ｍｇ／ｄｌであるとする。
【０１４７】
次に、光量定期確認手段２８５が確認光量レジスタ２８７にあらかじめ設定された１００μＪの光量８１で光源２０１を点灯するとともに、これまでカウントしていた経過時間をリセットし、新たに経過時間の測定を開始する。光源２０１からの光１０３により血管１０４内の血糖値を推定できる物質から発生した光音響波信号１０５から生体情報の特徴量６１を算出し、血糖値推定手段２０７が算出した特徴量６１から、校正期間に算出した１００μＪの校正データに基づいて推定血糖値７２を求める。１００μＪの推定血糖値７２は１６３ｍｇ／ｄｌであるとする。
【０１４８】
血糖値推定手段２０７が備える光量適正確認手段２７３は、光量８０μＪの推定血糖値（１６２ｍｇ／ｄｌ）と光量１００μＪの推定血糖値（１６３ｍｇ／ｄｌ）を比較して誤差（１ｍｇ／ｄｌ）を算出し、この誤差が適正誤差レジスタＡ２７４にあらかじめ設定された３ｍｇ／ｄｌ以下であるか判定する。誤差があらかじめ設定された適正誤差レジスタＡ２７４以下なので、制御手段２０８に対し、光量定期確認手段２８５で変更される前に設定されていた光量８０μＪに戻すよう光量復元信号７３を出力する。光量適正確認手段２７３が判定した結果、誤差があらかじめ設定された適正誤差レジスタＡ２７４より大きい場合は、光量復元信号７３は出力されない。
【０１４９】
制御手段２０８が、血糖値推定手段２０７より出力された光量復元信号７３を検出すると、光量変更手段２８１が、光量復元信号７３に従って光量８１を８０μＪに戻す。光量復元信号７３を検出できない場合は、光量定期確認手段２８５で変更した光量８１（確認光量レジスタ２８７にあらかじめ設定された１００μＪ）で以降の測定を行う。
【０１５０】
時間１０２分以降６分ごとに、時間６６分のときと同様に経過時間が確認周期レジスタＡ２８６にあらかじめ設定された３０分を超えるまで光量８０μＪで推定血糖値７２の測定を行う。
【０１５１】
このように、本発明の実施の形態１による非侵襲生体情報測定装置によれば、校正期間において非侵襲型血糖測定装置１０１での測定を複数の光量で行い、それぞれの光量で算出した複数の特徴量と、侵襲型血糖測定装置で測定した血糖値から、複数の推定血糖値を算出し、校正期間終了時に、侵襲型血糖測定装置で測定した血糖値と複数の推定血糖値を比較し算出した誤差の平均があらかじめ設定された閾値以下で、かつ、最も小さい光量で通常測定期間の測定を行うようにしたので、ユーザ生体状態に関係なく高出力の光量で測定していた場合に比べ低消費電力化を実現することが可能となり、ポータブル機器で実現した実現した場合の連続測定時間を大幅に伸ばすことができる。
【０１５２】
また、本発明の実施の形態１では、校正期間終了時に算出した侵襲型血糖測定装置で測定した血糖値と複数の推定血糖値を比較し算出した誤差の平均があらかじめ設定された閾値以下で、かつ、最も小さい光量で通常測定期間の測定を行うものとして説明したが、各光量に対する誤差平均の近似曲線を求めて、閾値以下になる光量を新たに算出し通常測定期間に使用する光量を算出してもよく、上記と同様の効果が得られる。
【０１５３】
また、本発明の実施の形態１では、非侵襲型血糖測定装置１０１は、光音響を用いた装置を想定したものとして説明したが、非侵襲的に血糖値を求める他の装置としてもよく、上記と同様の効果が得られる。
（実施の形態２）
本発明の実施の形態２において、非侵襲生体情報測定装置は非侵襲型血糖測定装置１０１であることを想定している。
【０１５４】
図５は、本発明の実施の形態２におけるシステム構成図を示す図である。図５において、１０１は非侵襲型血糖測定装置、１０２は生体の表面、１０３は光、１０４は血管、１０５は光音響波信号である。（ａ）は起動信号８３、（ｂ）は点灯タイミング８２、（ｃ）は光音響波信号１０５、（ｄ）は終了信号８４、（ｅ）は推定血糖値算出タイミングである。繰り返し測定を行い、血糖値を推定する区間を測定基本サイクルとし測定周期ごとに一連の動作を行う。
【０１５５】
非侵襲型血糖測定装置１０１は、これを生体の表面１０２に接するように装着し、非侵襲型血糖測定装置１０１が照射する光１０３を生体に入射させる。光１０３は生体内を伝播し、血管１０４内の血糖値を推定できる物質で吸収され、光音響波信号１０５が生成される。
【０１５６】
非侵襲型血糖測定装置１０１は血管１０４内の血糖値を推定できる物質により生成された光音響波信号１０５を検出し、生体情報の特徴量である血糖値を推定する。
【０１５７】
図６は、本発明の実施の形態２による非侵襲型血糖測定装置１０１のブロック構成を示す図である。図６において、１０１は非侵襲型血糖測定装置、２０１は光源、２０２は生体情報センサ、２０３は増幅手段、２０４はＡ／Ｄ変換手段、２０５は記憶手段、２０６は特徴量検出手段、６０１は血糖値推定手段、７０１は制御手段である。
【０１５８】
光源２０１は、少なくとも一つ以上備え、血管１０４内の血糖値を推定できる物質が吸収する波長の光１０３を放出する。制御手段２０８は、繰り返し回数変更手段７１１、繰り返し回数定期確認手段７１５から構成され、繰り返し回数指示信号６１５に応じて光源２０１の点灯タイミング８２を変更するとともに、光源２０１の光量８１を制御し、さらに増幅手段２０３とＡ／Ｄ変換手段２０４に起動信号８３を、増幅手段２０３とＡ／Ｄ変換手段２０４と特徴量検出手段２０６と血糖値推定手段２０７に終了信号８４を出力する。
【０１５９】
繰り返し回数変更手段７１１は、血糖値推定手段２０７より出力された繰り返し回数指示信号６１５に応じて点灯タイミング８２を光源２０１に出力する。
【０１６０】
繰り返し回数定期確認手段７１５は、通常測定期間において、光源２０１に対し、点灯タイミング８２を確認周期レジスタＡ２８６にあらかじめ設定された周期で、確認繰り返し回数レジスタ７１７にあらかじめ設定された値の繰り返し回数に変更し出力する。
【０１６１】
生体情報センサ２０２は、光音響波信号１０５を電圧信号２１に変換する。増幅手段２０３は、制御手段２０８からの起動信号８３に基づき、電圧信号２１を検出し、増幅信号３１を生成する。
【０１６２】
Ａ／Ｄ変換手段２０４は、制御手段２０８からの起動信号８３に基づき、増幅信号３１をサンプリングデータ４１に変換する。
【０１６３】
記憶手段２０５は、サンプリングデータ４１を記憶する領域で、Ａ／Ｄ変換手段２０４によって書き込まれ、特徴量検出手段２０６によって読み出される。
【０１６４】
光源２０１を点灯させ、サンプリングデータ４１を記憶するまでの一連の動作を所定回数繰り返す。
【０１６５】
特徴量検出手段２０６は、所定回数分の記憶データ５１を平均化し、平均化したデータを解析して生体情報の特徴量６１を算出する。
【０１６６】
血糖値推定手段２０７は、繰り返し回数選択手段６１１、繰り返し回数適正確認手段６１３から構成され、侵襲型血糖測定装置（図示せず）で測定した血糖値の変化量が校正用血糖閾値レジスタ２７５にあらかじめ設定された閾値以上になったときに校正データを算出し、算出した校正データに基づき、特徴量検出手段２０６で算出した特徴量６１と侵襲型血糖測定装置で測定した血糖値から推定血糖値７２を求め、外部に出力する。
【０１６７】
繰り返し回数選択手段６１１は、侵襲型血糖測定装置で測定した血糖値と複数の推定血糖値を比較して誤差の平均を算出し、誤差の平均が推定誤差レジスタＢ６１２にあらかじめ設定された閾値以下で、かつ、最も小さい繰り返し回数を検出し、繰り返し回数指示信号６１５を出力する。
【０１６８】
繰り返し回数適正確認手段６１３は、繰り返し回数定期確認手段７１５で変更された繰り返し回数で測定した推定血糖値と、繰り返し回数定期確認手段７１５で変更される前に設定されていた繰り返し回数で測定した推定血糖値を比較して誤差を算出し、誤差が適正誤差レジスタＢ６１４にあらかじめ設定された閾値以下であるか判定し、誤差が閾値以下である場合には、制御手段２０８に対し、繰り返し回数定期確認手段７１５で変更される前に設定されていた繰り返し回数に戻すよう繰り返し回数復元信号６１６を出力する。
【０１６９】
図７は、本発明の実施の形態２における非侵襲型血糖測定装置１０１の推定血糖値７２を時間軸でプロットした図である。図７において、（ａ）は推定血糖値７２、（ｂ）は推定血糖値７２の拡大図（時間１０分〜時間２０分及び時間９０分〜時間１００分）、（ｃ）は繰り返し回数である。
【０１７０】
以下、図５、図６、図７を用いて非侵襲型血糖測定装置１０１が血糖値の連続測定を行う場合の動作について説明する。
【０１７１】
本発明の実施の形態２において、侵襲型血糖測定装置での測定は１０分間隔で、非侵襲型血糖測定装置１０１での測定は、制御手段２０８が増幅手段２０３とＡ／Ｄ変換手段２０４に１回目の起動信号８３を出力してから、血糖値推定手段２０７が推定血糖値７２を算出し外部に出力するまでの区間を測定基本サイクルとし、６分間隔で繰り返す。
【０１７２】
ここで、外部より書き込み可能なレジスタの初期値として、
繰り返し回数変更手段７１１の最小繰り返し回数値（最小繰り返し回数レジスタ７１２）として１００回、
繰り返し回数変更手段７１１の繰り返し回数の増加量（増加繰り返し回数レジスタ７１３）として１００回、
繰り返し回数変更手段７１１の最大繰り返し回数値（最大繰り返し回数レジスタ７１４）として３００回、
繰り返し回数選択手段６１１の侵襲型血糖測定装置で測定した血糖値と推定血糖値７２の誤差の平均閾値（推定誤差レジスタＢ６１２）として１０ｍｇ／ｄｌ
繰り返し回数定期確認手段７１５の繰り返し回数を変更する周期（確認周期レジスタＢ７１６）として３０分、
繰り返し回数定期確認手段７１５のか繰り返し回数として（確認繰り返し回数レジスタ７１７）として３００回、
繰り返し回数適正確認手段６１３の繰り返し回数定期確認手段７１５で変更された繰り返し回数で測定した推定血糖値と、繰り返し回数定期確認手段７１５で変更される前に設定されていた繰り返し回数で測定した推定血糖値の誤差（適正誤差レジスタＢ６１４）として３ｍｇ／ｄｌ、
校正データを算出するために必要な侵襲型血糖測定装置の血糖値の変化量（校正用血糖閾値レジスタ２７５）として７０ｍｇ／ｄｌを設定する。
【０１７３】
まず、時間０分のとき、ユーザにより侵襲型血糖測定装置が備える採血スイッチ（図示せず）が押されると採血を伴う血糖値の測定を開始する。穿刺針などの採血手段により生体から血液を採取し、血糖値を測定する。
【０１７４】
このときの血糖値は７０ｍｇ／ｄｌとする。
【０１７５】
ユーザは侵襲型血糖測定装置で測定した血糖値などの血糖測定情報９１（時間０分：７０ｍｇ／ｄｌ）を非侵襲型血糖測定装置１０１に伝えるため、非侵襲型血糖測定装置１０１が備える血糖測定情報入力手段（図示せず）により血糖測定情報９１を入力する。
【０１７６】
入力された血糖測定情報９１は記憶手段２０５に保存される。
【０１７７】
なお、ここでは、侵襲型血糖測定装置で測定した血糖測定情報９１はユーザにより非侵襲型血糖測定装置１０１に入力されるとしたが、侵襲型血糖測定装置から非侵襲型血糖測定装置１０１に自動で転送されてもよい。
【０１７８】
非侵襲型血糖測定装置１０１は図５に示すように腕などの生体の表面１０２に装着し、その後、ユーザが非侵襲型血糖測定装置１０１に設けられた血糖値測定開始スイッチ（図示せず）を起動すると、制御手段２０８が増幅手段２０３とＡ／Ｄ変換手段２０４に起動信号８３を出力し、増幅手段２０３とＡ／Ｄ変換手段２０４が安定動作に入るタイミングで光源２０１の光量８１と点灯タイミング８２を制御し、光源２０１を点灯する。
【０１７９】
このとき、繰り返し回数変更手段７１１が備える最小繰り返し回数レジスタ７１２には１００回が設定されており、制御手段７０１は光源２０１の点灯回数が１００回になるまで点灯回数をカウントする。
【０１８０】
なお、ここでは、侵襲型血糖測定装置と非侵襲型血糖測定装置１０１はユーザによりそれぞれ同時に採血スイッチ及び測定開始スイッチが押され測定が開始されるものとして説明したが、同時刻に測定が行われなくてもよいし、侵襲型血糖測定装置から非侵襲型血糖測定装置１０１を起動し測定を開始してもよいし、非侵襲型血糖測定装置１０１から侵襲型血糖測定装置を起動し測定を開始してもよい。
【０１８１】
光源２０１からの光１０３は生体内を伝播し、血管１０４内の血糖値を推定できる物質で吸収され光音響波信号１０５が生成される。
【０１８２】
生体情報センサ２０２は、光音響波信号１０５の圧力を電圧信号２１に変換する。
【０１８３】
増幅手段２０３は、制御手段２０８からの起動信号８３を受け取り、生体情報センサ２０２によって変換された電圧信号２１をあらかじめ設定されているゲインで増幅し、増幅信号３１としてＡ／Ｄ変換手段２０４に出力する。
【０１８４】
なお、ここで、増幅手段２０３に起動信号８３と終了信号８４が入力されているのは、光音響波信号１０５の発生するタイミングでのみ増幅手段２０３の構成要素であるオペアンプ等の素子の動作をイネーブルにするためのものである、増幅手段２０３の低消費電力化を図る目的のものである。従って、これらの信号が入力されていなくても同等の動作をすることは可能である。
【０１８５】
Ａ／Ｄ変換手段２０４は、制御手段２０８からの起動信号８３を受け取り、増幅手段２０３から出力された増幅信号３１を特定の間隔でアナログデジタル変換し、サンプリングデータ４１を記憶手段２０５に書き込む。
【０１８６】
なお、ここで、Ａ／Ｄ変換手段２０４に起動信号８３と終了信号８４が入力されているのは、光音響波信号１０５の発生するタイミングでのみＡ／Ｄ変換手段２０４の構成要素であるＡＤコンバータ等の素子の動作をイネーブルにするためのものであり、Ａ／Ｄ変換手段２０４の低消費電力化を図る目的のものである。従って、これらの信号が入力されていなくても同等の動作をすることは可能である。
【０１８７】
光源２０１を点灯させ、サンプリングデータ４１を記憶するまでの一連の動作を１００回繰り返し、特徴量検出手段２０６が、制御手段７０１からの終了信号８４を受け取ると、記憶手段２０５に記憶されている１００回分の記憶データ５１を読み出して平均化し、平均化したデータを解析して繰り返し回数が１００回のときの生体情報の特徴量６１を算出し、保存する。
【０１８８】
点灯回数が１００回になると、繰り返し回数変更手段７１１は、点灯回数が最大繰り返し回数レジスタ７１４に設定された繰り返し回数（３００回）以上か比較する。
【０１８９】
点灯回数が最大繰り返し回数レジスタ７１４より小さいので、繰り返し回数変更手段７１１は増加繰り返し回数レジスタ７１３に設定された繰り返し回数の増加量分（１００回）、引き続き点灯タイミング８２を制御し、点灯回数が２００回になるまで光源２０１を点灯させ、サンプリングデータ４１を記憶するまでの一連の動作を繰り返す。
【０１９０】
特徴量検出手段２０６が、制御手段７０１から終了信号８４を受け取ると、記憶手段２０５に記憶されている２００回分の記憶データ５１を読み出して平均化し、平均化したデータを解析して繰り返し回数が２００回のときの生体情報の特徴量６１を算出し、保存する。
【０１９１】
点灯回数が２００回になると、繰り返し回数変更手段７１１は、点灯回数が最大繰り返し回数レジスタ７１４に設定された繰り返し回数（３００回）以上か比較する。
【０１９２】
点灯回数が最大繰り返し回数レジスタ７１４より小さいので、繰り返し回数変更手段７１１は増加繰り返し回数レジスタ７１３に設定された繰り返し回数の増加領分（１００回）、引き続き点灯タイミング８２を制御し、点灯回数が３００回になるまで光源２０１を点灯させ、サンプリングデータ４１を記憶するまでの一連の動作を繰り返す。
【０１９３】
特徴量検出手段２０６が、制御手段７０１から終了信号８４を受け取ると、記憶手段２０５に記憶されている３００回分の記憶データ５１を読み出して平均化し、平均化したデータを解析して繰り返し回数が３００回のときの生体情報の特徴量６１を算出し、保存する。
【０１９４】
点灯回数が３００回になると、繰り返し回数変更手段７１１は、点灯回数が最大繰り返し回数レジスタ７１４に設定された繰り返し回数（３００回）以上か比較する。
【０１９５】
点灯回数が最大繰り返し回数レジスタ７１４以上なので、繰り返し回数変更手段７１１は繰り返し回数を最小繰り返し回数レジスタ７１２に設定された最小繰り返し回数（１００回）に戻し、次の非侵襲型血糖測定装置１０１での測定タイミング（６分）まで待機する。
【０１９６】
なお、ここでは、光量変更手段２８１が備えるレジスタ群（最小繰り返し回数レジスタ７１２、増加繰り返し回数レジスタ７１３、最大繰り返し回数レジスタ７１４）に従って最小繰り返し回数（１００回）から最大繰り返し回数（３００回）まで点灯タイミング８２を変更するものとしたが、複数の繰り返し回数を設定するレジスタ群を備えることにより繰り返し回数を変更する方式でもよい。
【０１９７】
時間６分のとき、非侵襲型血糖測定装置１０１での測定が６分間隔で行われるため、時間０分のときと同様に、１００回〜３００回まで１００回間隔で光源２０１を点灯し、特徴量６１を保存する一連の動作を行う。
【０１９８】
３００回の繰り返し回数での測定が終了すると、繰り返し回数変更手段７１１は繰り返し回数を最小繰り返し回数レジスタ７１２に設定された最小繰り返し回数（１００回）に戻し、次の非侵襲型血糖測定装置１０１での測定タイミング（１２分）まで待機する。
【０１９９】
時間１０分のとき、時間０分のときと同様に、侵襲型血糖測定装置が備える採血スイッチをユーザが押すことにより、測定が開始され、侵襲型血糖測定装置での測定を行う。測定方法は、時間０分のときと同様である。
【０２００】
このときの血糖値は８２ｍｇ／ｄｌとする。
【０２０１】
ユーザは侵襲型血糖測定装置で測定した血糖測定情報９１（時間１０分：８２ｍｇ／ｄｌ）を非侵襲型血糖測定装置１０１に入力する。
【０２０２】
入力された血糖測定情報９１は記憶手段２０５に保存されるとともに、血糖値推定手段２０７に入力され、時間０分の血糖値（７０ｍｇ／ｄｌ）と比較され変化量１２ｍｇ／ｄｌを算出する。算出した変化量が校正用血糖閾値レジスタ２７５に設定されている閾値７０ｍｇ／ｄｌより小さいので引き続き、侵襲型血糖測定装置での測定を行う。
【０２０３】
時間１２分のとき、非侵襲型血糖測定装置１０１は、時間６分のときと同様に、１００回〜３００回まで１００回間隔で光源２０１を点灯し、特徴量６１を保存する一連の動作を行う。
【０２０４】
３００回の繰り返し回数での測定が終了すると、繰り返し回数変更手段７１１は繰り返し回数を最小繰り返し回数レジスタ７１２に設定された最小繰り返し回数（１００回）に戻し、次の非侵襲型血糖測定装置１０１での測定タイミング（１８分）まで待機する。
【０２０５】
時間１８分のとき、非侵襲型血糖測定装置１０１は、時間６分のときと同様に、１００回〜３００回まで１００回間隔で光源２０１を点灯し、特徴量６１を保存する一連の動作を行う。
【０２０６】
３００回の繰り返し回数での測定が終了すると、繰り返し回数変更手段７１１は繰り返し回数を最小繰り返し回数レジスタ７１２に設定された最小繰り返し回数（１００回）に戻し、次の非侵襲型血糖測定装置１０１での測定タイミング（２４分）まで待機する。
【０２０７】
時間２０分のとき、時間０分のときと同様に、侵襲型血糖測定装置が備える採血スイッチをユーザが押すことにより、測定が開始され、侵襲型血糖測定装置での測定を行う。測定方法は、時間０分のときと同様である。
【０２０８】
このときの血糖値は１００ｍｇ／ｄｌとする。
【０２０９】
ユーザは侵襲型血糖測定装置で測定した血糖測定情報９１（時間２０分：１００ｍｇ／ｄｌ）を非侵襲型血糖測定装置１０１に入力する。
【０２１０】
入力された血糖測定情報９１は記憶手段２０５に保存されるとともに、血糖値推定手段２０７に入力され、時間０分の血糖値（７０ｍｇ／ｄｌ）と比較され変化量３０ｍｇ／ｄｌを算出する。算出した変化量が校正用血糖閾値レジスタ２７５に設定されている閾値７０ｍｇ／ｄｌより小さいので引き続き、侵襲型血糖測定装置での測定を行う。
【０２１１】
時間２４分のとき、非侵襲型血糖測定装置１０１は、時間６分のときと同様に、１００回〜３００回まで１００回間隔で光源２０１を点灯し、特徴量６１を保存する一連の動作を行う。
【０２１２】
３００回の繰り返し回数での測定が終了すると、繰り返し回数変更手段７１１は繰り返し回数を最小繰り返し回数レジスタ７１２に設定された最小繰り返し回数（１００回）に戻し、次の非侵襲型血糖測定装置１０１での測定タイミング（３０分）まで待機する。
【０２１３】
時間３０分のとき、時間０分のときと同様に、侵襲型血糖測定装置が備える採血スイッチをユーザが押すことにより、測定が開始され、侵襲型血糖測定装置での測定を行う。測定方法は、時間０分のときと同様である。
【０２１４】
このときの血糖値は１１８ｍｇ／ｄｌとする。
【０２１５】
ユーザは侵襲型血糖測定装置で測定した血糖測定情報９１（時間３０分：１１８ｍｇ／ｄｌ）を非侵襲型血糖測定装置１０１に入力する。
【０２１６】
入力された血糖測定情報９１は記憶手段２０５に保存されるとともに、血糖値推定手段２０７に入力され、時間０分の血糖値（７０ｍｇ／ｄｌ）と比較され変化量４８ｍｇ／ｄｌを算出する。算出した変化量が校正用血糖閾値レジスタ２７５に設定されている閾値７０ｍｇ／ｄｌより小さいので引き続き、侵襲型血糖測定装置での測定を行う。
【０２１７】
非侵襲型血糖測定装置１０１は、時間６分のときと同様に、１００回〜３００回まで１００回間隔で光源２０１を点灯し、特徴量６１を保存する一連の動作を行う。
【０２１８】
３００回の繰り返し回数での測定が終了すると、繰り返し回数変更手段７１１は繰り返し回数を最小繰り返し回数レジスタ７１２に設定された最小繰り返し回数（１００回）に戻し、次の非侵襲型血糖測定装置１０１での測定タイミング（３６分）まで待機する。
【０２１９】
時間３６分のとき、非侵襲型血糖測定装置１０１は、時間６分のときと同様に、１００回〜３００回まで１００回間隔で光源２０１を点灯し、特徴量６１を保存する一連の動作を行う。
【０２２０】
３００回の繰り返し回数での測定が終了すると、繰り返し回数変更手段７１１は繰り返し回数を最小繰り返し回数レジスタ７１２に設定された最小繰り返し回数（１００回）に戻し、次の非侵襲型血糖測定装置１０１での測定タイミング（４２分）まで待機する。
【０２２１】
時間４０分のとき、時間０分のときと同様に、侵襲型血糖測定装置が備える採血スイッチをユーザが押すことにより、測定が開始され、侵襲型血糖測定装置での測定を行う。測定方法は、時間０分のときと同様である。
【０２２２】
このときの血糖値は１２５ｍｇ／ｄｌとする。
【０２２３】
ユーザは侵襲型血糖測定装置で測定した血糖測定情報９１（時間４０分：１２５ｍｇ／ｄｌ）を非侵襲型血糖測定装置１０１に入力する。
【０２２４】
入力された血糖測定情報９１は記憶手段２０５に保存されるとともに、血糖値推定手段２０７に入力され、時間０分の血糖値（７０ｍｇ／ｄｌ）と比較され変化量６０ｍｇ／ｄｌを算出する。算出した変化量が校正用血糖閾値レジスタ２７５に設定されている閾値７０ｍｇ／ｄｌより小さいので引き続き、侵襲型血糖測定装置での測定を行う。
【０２２５】
時間４２分のとき、非侵襲型血糖測定装置１０１は、時間６分のときと同様に、１００回〜３００回まで１００回間隔で光源２０１を点灯し、特徴量６１を保存する一連の動作を行う。
【０２２６】
３００回の繰り返し回数での測定が終了すると、繰り返し回数変更手段７１１は繰り返し回数を最小繰り返し回数レジスタ７１２に設定された最小繰り返し回数（１００回）に戻し、次の非侵襲型血糖測定装置１０１での測定タイミング（４８分）まで待機する。
【０２２７】
時間４８分のとき、非侵襲型血糖測定装置１０１は、時間６分のときと同様に、１００回〜３００回まで１００回間隔で光源２０１を点灯し、特徴量６１を保存する一連の動作を行う。
【０２２８】
３００回の繰り返し回数での測定が終了すると、繰り返し回数変更手段７１１は繰り返し回数を最小繰り返し回数レジスタ７１２に設定された最小繰り返し回数（１００回）に戻し、次の非侵襲型血糖測定装置１０１での測定タイミング（５４分）まで待機する。
【０２２９】
時間５０分のとき、時間０分のときと同様に、侵襲型血糖測定装置が備える採血スイッチをユーザが押すことにより、測定が開始され、侵襲型血糖測定装置での測定を行う。測定方法は、時間０分のときと同様である。
【０２３０】
このときの血糖値は１３８ｍｇ／ｄｌとする。
【０２３１】
ユーザは侵襲型血糖測定装置で測定した血糖測定情報９１（時間５０分：１３８ｍｇ／ｄｌ）を非侵襲型血糖測定装置１０１に入力する。
【０２３２】
入力された血糖測定情報９１は記憶手段２０５に保存されるとともに、血糖値推定手段２０７に入力され、時間０分の血糖値（７０ｍｇ／ｄｌ）と比較され変化量６８ｍｇ／ｄｌを算出する。算出した変化量が校正用血糖閾値レジスタ２７５に設定されている閾値７０ｍｇ／ｄｌより小さいので引き続き、侵襲型血糖測定装置での測定を行う。
【０２３３】
時間５４分のとき、非侵襲型血糖測定装置１０１は、時間６分のときと同様に、１００回〜３００回まで１００回間隔で光源２０１を点灯し、特徴量６１を保存する一連の動作を行う。
【０２３４】
３００回の繰り返し回数での測定が終了すると、繰り返し回数変更手段７１１は繰り返し回数を最小繰り返し回数レジスタ７１２に設定された最小繰り返し回数（１００回）に戻し、次の非侵襲型血糖測定装置１０１での測定タイミング（６０分）まで待機する。
【０２３５】
時間６０分のとき、時間０分のときと同様に、侵襲型血糖測定装置が備える採血スイッチをユーザが押すことにより、測定が開始され、侵襲型血糖測定装置での測定を行う。測定方法は、時間０分のときと同様である。
【０２３６】
このときの血糖値は１４２ｍｇ／ｄｌとする。
【０２３７】
ユーザは侵襲型血糖測定装置で測定した血糖測定情報９１（時間６０分：１４２ｍｇ／ｄｌ）を非侵襲型血糖測定装置１０１に入力する。
【０２３８】
入力された血糖測定情報９１は記憶手段２０５に保存されるとともに、血糖値推定手段２０７に入力され、時間０分の血糖値（７０ｍｇ／ｄｌ）と比較され変化量７２ｍｇ／ｄｌを算出する。算出した変化量が校正用血糖閾値レジスタ２７５に設定されている閾値７０ｍｇ／ｄｌ以上なので、これまでに測定した侵襲型血糖測定装置の７つのデータ（時間０分：７０ｍｇ／ｄｌ、時間１０分：８２ｍｇ／ｄｌ、時間２０分：１００ｍｇ／ｄｌ、時間３０分：１１８ｍｇ／ｄｌ、時間４０分：１２５ｍｇ／ｄｌ、時間５０分：１３８ｍｇ／ｄｌ、時間６０分：１４２ｍｇ／ｄｌ）を基に近似式を算出し、算出した近似曲線４０２を求める。さらに、非侵襲血糖測定装置１０１で測定したタイミングの近似血糖値を近似曲線４０２から算出し、この近似血糖値と各繰り返し回数に対する非侵襲血糖測定装置１０１の特徴量６１を基に各繰り返し回数ごとに校正データを算出する。
【０２３９】
算出した校正データに基づき、時間０分から時間６０分までの各繰り返し回数ごとの推定血糖値７２を求める。
【０２４０】
各測定時間における推定血糖値７２を校正データに基づき算出すると、
時間０分のとき、
繰り返し回数１００回の推定血糖値７２は６８ｍｇ／ｄｌ、
繰り返し回数２００回の推定血糖値７２は７０ｍｇ／ｄｌ、
繰り返し回数３００回の推定血糖値７２は７０ｍｇ／ｄｌとなる。
【０２４１】
時間６分のとき、
繰り返し回数１００回の推定血糖値７２は７５ｍｇ／ｄｌ、
繰り返し回数２００回の推定血糖値７２は７８ｍｇ／ｄｌ、
繰り返し回数３００回の推定血糖値７２は７８ｍｇ／ｄｌとなる。
【０２４２】
時間１２分のとき、
繰り返し回数１００回の推定血糖値７２は８２ｍｇ／ｄｌ、
繰り返し回数２００回の推定血糖値７２は８４ｍｇ／ｄｌ、
繰り返し回数３００回の推定血糖値７２は８７ｍｇ／ｄｌとなる。
【０２４３】
時間１８分のとき、
繰り返し回数１００回の推定血糖値７２は８４ｍｇ／ｄｌ、
繰り返し回数２００回の推定血糖値７２は９０ｍｇ／ｄｌ、
繰り返し回数３００回の推定血糖値７２は９４ｍｇ／ｄｌとなる。
【０２４４】
時間２４分のとき、
繰り返し回数１００回の推定血糖値７２は８７ｍｇ／ｄｌ、
繰り返し回数２００回の推定血糖値７２は９８ｍｇ／ｄｌ、
繰り返し回数３００回の推定血糖値７２は１０８ｍｇ／ｄｌ、
時間３０分のとき、
繰り返し回数１００回の推定血糖値７２は９５ｍｇ／ｄｌ、
繰り返し回数２００回の推定血糖値７２は１１０ｍｇ／ｄｌ、
繰り返し回数３００回の推定血糖値７２は１１５ｍｇ／ｄｌとなる。
【０２４５】
時間３６分のとき、
繰り返し回数１００回の推定血糖値７２は１００ｍｇ／ｄｌ、
繰り返し回数２００回の推定血糖値７２は１１２ｍｇ／ｄｌ、
繰り返し回数３００回の推定血糖値７２は１１９ｍｇ／ｄｌとなる。
【０２４６】
時間４２分のとき、
繰り返し回数１００回の推定血糖値７２は１０１ｍｇ／ｄｌ、
繰り返し回数２００回の推定血糖値７２は１２０ｍｇ／ｄｌ、
繰り返し回数３００回の推定血糖値７２は１２９ｍｇ／ｄｌとなる。
【０２４７】
時間４８分のとき、
繰り返し回数１００回の推定血糖値７２は１０２ｍｇ／ｄｌ、
繰り返し回数２００回の推定血糖値７２は１２５ｍｇ／ｄｌ、
繰り返し回数３００回の推定血糖値７２は１３４ｍｇ／ｄｌとなる。
【０２４８】
時間５４分のとき、
繰り返し回数１００回の推定血糖値７２は１０２ｍｇ／ｄｌ、
繰り返し回数２００回の推定血糖値７２は１３４ｍｇ／ｄｌ、
繰り返し回数３００回の推定血糖値７２は１３８ｍｇ／ｄｌとなる。
【０２４９】
時間６０分のとき、
繰り返し回数１００回の推定血糖値７２は１０３ｍｇ／ｄｌ、
繰り返し回数２００回の推定血糖値７２は１３８ｍｇ／ｄｌ、
繰り返し回数３００回の推定血糖値７２は１４２ｍｇ／ｄｌとなる。
【０２５０】
次に、繰り返し回数選択手段６１１は時間０分から時間６０分までの各繰り返し回数ごとの非侵襲血糖測定装置の推定血糖値７２と侵襲型血糖測定装置の血糖値、あるいは、血糖値を測定していない場合は近似血糖値とを比較して誤差を算出する。
【０２５１】
各測定時間における誤差を算出すると、
時間０分のとき、侵襲型血糖測定装置の血糖値は７０ｍｇ／ｄｌなので、
繰り返し回数１００回の推定血糖値７２との誤差は２ｍｇ／ｄｌ、
繰り返し回数２００回の推定血糖値７２との誤差は０ｍｇ／ｄｌ、
繰り返し回数３００回の推定血糖値７２との誤差は０ｍｇ／ｄｌとなる。
【０２５２】
時間６分のとき、侵襲型血糖測定装置の近似血糖値は７８ｍｇ／ｄｌなので、
繰り返し回数１００回の推定血糖値７２との誤差は３ｍｇ／ｄｌ、
繰り返し回数２００回の推定血糖値７２との誤差は０ｍｇ／ｄｌ、
繰り返し回数３００回の推定血糖値７２との誤差は０ｍｇ／ｄｌとなる。
【０２５３】
時間１２分のとき、侵襲型血糖測定装置の近似血糖値は８９ｍｇ／ｄｌなので、
繰り返し回数１００回の推定血糖値７２との誤差は７ｍｇ／ｄｌ、
繰り返し回数２００回の推定血糖値７２との誤差は５ｍｇ／ｄｌ、
繰り返し回数３００回の推定血糖値７２との誤差は２ｍｇ／ｄｌとなる。
【０２５４】
時間１８分のとき、侵襲型血糖測定装置の近似血糖値は９８ｍｇ／ｄｌなので、
繰り返し回数１００回の推定血糖値７２との誤差は１４ｍｇ／ｄｌ、
繰り返し回数２００回の推定血糖値７２との誤差は８ｍｇ／ｄｌ、
繰り返し回数３００回の推定血糖値７２との誤差は４ｍｇ／ｄｌなる。
【０２５５】
時間２４分のとき、侵襲型血糖測定装置の近似血糖値は１０７ｍｇ／ｄｌなので、
繰り返し回数１００回の推定血糖値７２との誤差は２０ｍｇ／ｄｌ、
繰り返し回数２００回の推定血糖値７２との誤差は９ｍｇ／ｄｌ、
繰り返し回数３００回の推定血糖値７２との誤差は１ｍｇ／ｄｌなる。
【０２５６】
時間３０分のとき、侵襲型血糖測定装置の近似血糖値は１１８ｍｇ／ｄｌなので、
繰り返し回数１００回の推定血糖値７２との誤差は２３ｍｇ／ｄｌ、
繰り返し回数２００回の推定血糖値７２との誤差は８ｍｇ／ｄｌ、
繰り返し回数３００回の推定血糖値７２との誤差は３ｍｇ／ｄｌなる。
【０２５７】
時間３６分のとき、侵襲型血糖測定装置の近似血糖値は１２２ｍｇ／ｄｌなので、
繰り返し回数１００回の推定血糖値７２との誤差は２２ｍｇ／ｄｌ、
繰り返し回数２００回の推定血糖値７２との誤差は１０ｍｇ／ｄｌ、
繰り返し回数３００回の推定血糖値７２との誤差は３ｍｇ／ｄｌなる。
【０２５８】
時間４２分のとき、侵襲型血糖測定装置の近似血糖値は１２８ｍｇ／ｄｌなので、
繰り返し回数１００回の推定血糖値７２との誤差は２７ｍｇ／ｄｌ、
繰り返し回数２００回の推定血糖値７２との誤差は８ｍｇ／ｄｌ、
繰り返し回数３００回の推定血糖値７２との誤差は１ｍｇ／ｄｌなる。
【０２５９】
時間４８分のとき、侵襲型血糖測定装置の近似血糖値は１３３ｍｇ／ｄｌなので、
繰り返し回数１００回の推定血糖値７２との誤差は３１ｍｇ／ｄｌ、
繰り返し回数２００回の推定血糖値７２との誤差は８ｍｇ／ｄｌ、
繰り返し回数３００回の推定血糖値７２との誤差は１ｍｇ／ｄｌなる。
【０２６０】
時間５４分のとき、侵襲型血糖測定装置の近似血糖値は１３８ｍｇ／ｄｌなので、
繰り返し回数１００回の推定血糖値７２との誤差は３６ｍｇ／ｄｌ、
繰り返し回数２００回の推定血糖値７２との誤差は４ｍｇ／ｄｌ、
繰り返し回数３００回の推定血糖値７２との誤差は０ｍｇ／ｄｌなる。
【０２６１】
時間６０分のとき、侵襲型血糖測定装置の近似血糖値は１４２ｍｇ／ｄｌなので、
繰り返し回数１００回の推定血糖値７２との誤差は３９ｍｇ／ｄｌ、
繰り返し回数２００回の推定血糖値７２との誤差は４ｍｇ／ｄｌ、
繰り返し回数３００回の推定血糖値７２との誤差は０ｍｇ／ｄｌなる。
【０２６２】
次に、繰り返し回数選択手段６１１は各繰り返し回数における誤差の平均をそれぞれ算出し、算出した誤差の平均があらかじめ設定された推定誤差レジスタＢ６１２以下で、かつ、最も小さい繰り返し回数を繰り返し回数指示信号６１５として出力する。
【０２６３】
各繰り返し回数における誤差の平均は、
繰り返し回数１００回のとき２０ｍｇ／ｄｌ、
繰り返し回数２００回のとき５．８ｍｇ／ｄｌ、
繰り返し回数３００回のとき１．４ｍｇ／ｄｌとなる。
【０２６４】
繰り返し回数選択手段６１１は算出した誤差の平均が推定誤差レジスタＢ６１２にあらかじめ設定された誤差の平均閾値（１０ｍｇ／ｄｌ）以下で、かつ、最も小さい繰り返し回数２００回を繰り返し回数指示信号６１５として出力するとともに、推定血糖値７２を外部に出力する。
【０２６５】
制御手段２０８に、血糖値推定手段２０７より出力された繰り返し回数指示信号６１５が入力されると、繰り返し回数変更手段７１１は、繰り返し回数指示信号６１５に応じて通常測定期間で使用する繰り返し回数を２００回に変更する。
【０２６６】
繰り返し回数定期確認手段７１５は、繰り返し回数指示信号６１５を検出すると、経過時間の測定を開始する。
【０２６７】
なお、ここでは、算出した校正データを使って、時間０分から時間６０分までの推定血糖値７２を算出し、それぞれの測定時間における侵襲型血糖測定装置の血糖値と推定血糖値７２の誤差の平均を求めて、通常測定期間で使用する繰り返し回数を決定するとして説明したが、校正データを算出したタイミングで誤差を求めて通常測定期間で使用する繰り返し回数を決定したり、校正期間中の結果を使って通常測定期間に使用する繰り返し回数を決定したりするその他の方法でも良い。
【０２６８】
校正期間が終了すると通常測定期間となり、時間６６分以降６分ごとに、非侵襲血糖値測定装置での測定を行う。
【０２６９】
時間６６分のとき、経過時間は６分である。
【０２７０】
経過時間が確認周期レジスタＢ７１６にあらかじめ設定された３０分を超えていないので、制御手段２０８が、校正期間で決定した繰り返し回数分（２００回）、点灯タイミング８２を制御して光源２０１を点灯し、光１０３により血管１０４内の血糖値を推定できる物質から発生した光音響波信号１０５から生体情報の特徴量６１を算出し、血糖値推定手段２０７が算出した特徴量６１から、校正データに基づいて推定血糖値７２を求め、外部に出力する一連の処理は校正期間と同様である。
【０２７１】
時間７２分以降６分ごとに、経過時間が３０分を超えるまで、経過時間６６分のときと同様に非侵襲血糖測定装置での測定を行う。
【０２７２】
時間９６分のとき、経過時間は３６分である。
【０２７３】
経過時間が確認周期レジスタＡ２８６にあらかじめ設定された３０分を超えているので、制御手段２０８が、校正期間で決定した繰り返し回数（２００回）の点灯タイミング８２で推定血糖値７２を算出した後、繰り返し回数定期確認手段７１５が確認光量レジスタ２８７にあらかじめ設定された３００回の繰り返し回数になるまで、引き続き、光源２０１を点灯し、繰り返し回数３００回でも推定血糖値７２の測定を行う。
【０２７４】
まず、制御手段２０８がの光量８１と繰り返し回数２００回分の点灯タイミング８２を制御して光源２０１を点灯し、光１０３により血管１０４内の血糖値を推定できる物質から発生した光音響波信号１０５から生体情報の特徴量６１を算出し、血糖値推定手段２０７が算出した特徴量６１から、校正データに基づいて推定血糖値７２を求める。繰り返し回数２００回の推定血糖値７２は１６２ｍｇ／ｄｌであるとする。
【０２７５】
次に、繰り返し回数定期確認手段７１５が確認繰り返し回数レジスタ７１７にあらかじめ設定された３００回の繰り返し回数になるまで、引き続き、光源２０１を点灯し、点灯回数が３００回になったとき、これまでカウントしていた経過時間をリセットし、新たに経過時間の測定を開始する。光源２０１からの光１０３により血管１０４内の血糖値を推定できる物質から発生した光音響波信号１０５から生体情報の特徴量６１を算出し、血糖値推定手段２０７が算出した特徴量６１から、校正期間に算出した繰り返し回数３００回の校正データに基づいて推定血糖値７２を求める。繰り返し回数３００回の推定血糖値７２は１６３ｍｇ／ｄｌであるとする。
【０２７６】
血糖値推定手段２０７が備える繰り返し回数適正確認手段６１３は、繰り返し回数２００回の推定血糖値（１６２ｍｇ／ｄｌ）と繰り返し回数３００回の推定血糖値（１６３ｍｇ／ｄｌ）を比較して誤差（１ｍｇ／ｄｌ）を算出し、この誤差が適正誤差レジスタＢ６１４にあらかじめ設定された３ｍｇ／ｄｌ以下であるか判定する。誤差があらかじめ設定された適正誤差レジスタＢ６１４以下なので、制御手段２０８に対し、繰り返し回数定期確認手段７１５で変更される前に設定されていた繰り返し回数２００回に戻すよう繰り返し回数復元信号６１６を出力する。繰り返し回数適正確認手段６１３が判定した結果、誤差があらかじめ設定された適正誤差レジスタＢ６１４より大きい場合は、繰り返し回数復元信号６１６は出力されない。
【０２７７】
制御手段２０８が、血糖値推定手段２０７より出力された繰り返し回数復元信号６１６を検出すると、繰り返し回数変更手段７１１が、繰り返し回数復元信号６１６に従って繰り返し回数を２００回に戻す。繰り返し回数復元信号６１６を検出できない場合は、繰り返し回数定期確認手段７１５で変更した繰り返し回数（確認繰り返し回数レジスタ７１７にあらかじめ設定された３００回）で以降の測定を行う。
【０２７８】
時間１０２分以降６分ごとに、時間６６分のときと同様に経過時間が確認周期レジスタＢ７１６にあらかじめ設定された３０分を超えるまで繰り返し回数２００回で推定血糖値７２の測定を行う。
【０２７９】
このように、本発明の実施の形態２による非侵襲生体情報測定装置によれば、校正期間において非侵襲型血糖測定装置１０１での測定を複数の繰り返し回数で行い、それぞれの繰り返し回数で算出した複数の特徴量と、侵襲型血糖測定装置で測定した血糖値から、複数の推定血糖値を算出し、校正期間終了時に、侵襲型血糖測定装置で測定した血糖値と複数の推定血糖値を比較し算出した誤差の平均があらかじめ設定された閾値以下で、かつ、最も小さい繰り返し回数で通常測定期間の測定を行うようにしたので、非侵襲型血糖測定装置の精度を低下することなく低消費電力化と、測定時間の短縮を実現することが可能となり、ポータブル機器で実現した実現した場合の連続測定時間を大幅に伸ばすことができる。
【０２８０】
また、本発明の実施の形態２では、校正期間終了時に算出した侵襲型血糖測定装置で測定した血糖値と複数の推定血糖値を比較し算出した誤差の平均があらかじめ設定された閾値以下で、かつ、最も小さい繰り返し回数で通常測定期間の測定を行うものとして説明したが、各繰り返し回数に対する誤差平均の近似曲線を求めて、閾値以下になる繰り返し回数を新たに算出し通常測定期間に使用する繰り返し回数を算出してもよく、上記と同様の効果が得られる。
【０２８１】
また、本発明の実施の形態２では、非侵襲型血糖測定装置１０１は、光音響を用いた装置を想定したものとして説明したが、非侵襲的に血糖値を求める他の装置としてもよく、上記と同様の効果が得られる。
【産業上の利用可能性】
【０２８２】
以上のように、本発明にかかる非侵襲生体情報測定装置は、通常測定期間に使用する光量や繰り返し回数を校正期間に算出した推定血糖値と侵襲型血糖測定装置で測定した血糖値を比較して決定することにより、低消費電力で短い測定時間の非侵襲生体情報測定装置を提供することが可能となり、ポータブル機器の連続測定時間を向上することに有用である。
【図面の簡単な説明】
【０２８３】
【図１】本発明の実施の形態１におけるシステム構成を示す図
【図２】本発明の実施の形態１による非侵襲型血糖測定装置１０１のブロック構成を示す図
【図３】本発明の実施の形態１における非侵襲型血糖測定装置１０１の推定血糖値７２を時間軸でプロットした図
【図４】本発明の実施の形態１における侵襲型血糖測定装置と非侵襲型血糖測定装置１０１の血糖値及び推定血糖値７２を時間軸でプロットした時間０分から２０分までの拡大図
【図５】本発明の実施の形態２におけるシステム構成を示す図
【図６】本発明の実施の形態２による非侵襲型血糖測定装置１０１のブロック構成を示す図
【図７】本発明の実施の形態２における非侵襲型血糖測定装置１０１の推定血糖値７２を時間軸でプロットした図
【符号の説明】
【０２８４】
２１  電圧信号
３１  増幅信号
４１  サンプリングデータ
５１  記憶データ
６１  特徴量
７１  光量指示信号
７２  推定血糖値
７３  光量復元信号
８１  光量
８２  点灯タイミング
８３  起動信号
８４  終了信号
９１  血糖測定情報
１０１  非侵襲型血糖測定装置
１０２  生体の表面
１０３  光
１０４  血管
１０５  光音響波信号
２０１  光源
２０２  生体情報センサ
２０３  増幅手段
２０４  Ａ／Ｄ変換手段
２０５  記憶手段
２０６  特徴量検出手段
２０７  血糖値推定手段
２７１  光量選択手段
２７３  光量適正確認手段
２７２  推定誤差レジスタＡ
２７４  適正誤差レジスタＡ
２７５  校正用血糖閾値レジスタ
２０８  制御手段
２８１  光量変更手段
２８５  光量定期確認手段
２８２  最小光量レジスタ
２８３  増加光量レジスタ
２８４  最大光量レジスタ
２８６  確認周期レジスタＡ
２８７  確認光量レジスタ
４０１、４０２  近似曲線
６０１  血糖値推定手段
６１１  繰り返し回数選択手段
６１２  推定誤差レジスタＢ
６１３  繰り返し回数適正確認手段
６１４  適正誤差レジスタＢ
６１５  繰り返し回数指示信号
６１６  繰り返し回数復元信号
７０１  制御手段
７１１  繰り返し回数変更手段
７１２  最小繰り返し回数レジスタ
７１３  増加繰り返し回数レジスタ
７１４  最大繰り返し回数レジスタ
７１５  繰り返し回数定期確認手段
７１６  確認周期レジスタＢ
７１７  確認繰り返し回数レジスタ
【図１】
2009039267.tif 000003
【図２】
2009039267.tif 000004
【図３】
2009039267.tif 000005
【図４】
2009039267.tif 000006
【図５】
2009039267.tif 000007
【図６】
2009039267.tif 000008
【図７】
2009039267.tif 000009